(57)【特許請求の範囲】
【請求項１】
製品を無菌で収容及び供給するための方法であって、
（ｉ）ディスペンサにおける密閉的に封止された未充填の可変容積貯蔵チャンバ内に製品を充填し、前記ディスペンサは、流体が流通可能に前記可変容積貯蔵チャンバに接続された一方向弁を含み、該一方向弁は、常閉のバルブ開口を形成する弾性バルブ部材を含むステップと、
（ｉｉ）前記ディスペンサの前記可変容積貯蔵チャンバ内に密閉的に封止された製品を保持するステップと、
（ｉｉｉ）前記常閉のバルブ開口への入口において製品を加圧すると共に、前記可変容積貯蔵チャンバから前記バルブ開口を通して製品の通過を許容するために、前記弾性バルブ部材を通常の閉位置と、前記バルブ部材の少なくとも一部分が閉位置から間隔を隔てられた開位置との間を移動させることによって、前記製品の複数の異なる部分を、異なるときに前記可変容積貯蔵チャンバから前記一方向弁を通して供給するステップと、
（ｉｖ）上記ステップ（ｉｉ）及び（ｉｉｉ）の間、無菌で且つ大気に対して密閉的に封止された前記可変容積貯蔵チャンバ内の前記製品を保持するステップと
を備える方法。
【請求項２】
ステップ（ｉ）は、
前記可変容積貯蔵チャンバに前記製品を無菌で充填すること、及び、
前記可変容積貯蔵チャンバ内の前記製品を密閉的に封止すること
を含む請求項１記載の方法。
【請求項３】
ステップ（ｉ）の間、前記一方向弁を通して前記可変容積貯蔵チャンバへの空気又は他の汚染物の進入を実質的に防止するステップをさらに備える請求項２記載の方法。
【請求項４】
前記供給するステップは、所定量又は計量された量の製品を、前記可変容積貯蔵チャンバから前記一方向弁を通して供給することを含む請求項１記載の方法。
【請求項５】
前記ディスペンサのチャンバ内に収容された前記製品に圧力を加え、前記製品の一部分を前記一方向弁を通して供給するステップをさらに備える請求項１記載の方法。
【請求項６】
前記製品に圧力を加えるステップは、前記ディスペンサのチャンバ内に収容された前記製品に圧力を加えるデバイスを操作し、前記製品の一部分を前記可変容積貯蔵チャンバから前記一方向弁を通して供給することを含む請求項５記載の方法。
【請求項７】
前記操作するステップは、前記デバイスを手動で操作することを含む請求項６記載の方法。
【請求項８】
前記ディスペンサは、前記可変容積貯蔵チャンバに流体を流通可能に設けられ、貫通可能で且つ再封止可能な部分を含み、
前記充填するステップは、
前記貫通可能で且つ再封止可能な部分の露出された表面を殺菌するステップと、
前記製品の供給源に流体を供給可能に接続された注入部材、注射部材又は針を用いて、前記貫通可能で且つ再封止可能な部分を貫通するステップと、
前記製品を前記注入部材、注射部材又は針を通して前記可変容積貯蔵チャンバへと導入するステップと、
前記貫通可能で且つ再封止可能な部分から前記注入部材、注射部材又は針を取り外すステップと、
前記貫通可能で且つ再封止可能な部分の貫通部を封止すると共に実質的にガスが通らないシールを形成するため、前記貫通部を再封止するステップを備える請求項１記載の方法。
【請求項９】
前記再封止するステップは、放射線又はエネルギを前記貫通可能で且つ再封止可能な部分の前記貫通部に加えることを備える請求項８記載の方法。
【請求項１０】
前記貫通可能で且つ再封止可能な部分は、熱で再封止可能であり、
前記再封止するステップは、前記貫通部を封止し又は溶解させると共に実質的にガスが通らないシールを形成するため、十分な熱エネルギを前記貫通部に与えることを備える請求項８記載の方法。
【請求項１１】
前記製品は、液体、クリーム、軟膏、糊製品、食品、化粧品、産業用品、家庭用品、薬剤、ワクチン、薬品及び医薬の内の一つを備える請求項１から１０の何れかに記載の方法。
【請求項１２】
製品を収容及び供給するためのディスペンサであって、
密閉的に封止された未充填の可変容積貯蔵チャンバと、
前記可変容積貯蔵チャンバに流体を流通可能で、且つ、製品をチャンバへと導入するために、注入部材、注射部材又は針によって貫通可能なものであって、前記注入部材、注射部材又は針が外された後の開口を密閉的に封止するために再封止可能な再封止部材と、
前記可変容積貯蔵チャンバに流体を流通可能に接続され、弾性バルブ部材を含む一方向弁とを備え、前記弾性バルブ部材は常閉のバルブ開口を形成し、
前記バルブ部材は、前記バルブ開口を通して前記製品の通過を許容するため、通常の閉位置と、前記弾性バルブ部材の少なくとも一部分が閉位置から間隔を隔てられた開位置との間を移動可能であり、密閉的に封止された未充填の前記可変容積貯蔵チャンバは前記製品が無菌で充填され、前記製品は前記可変容積貯蔵チャンバ内に密閉的に封止され、前記ディスペンサは、前記可変容積貯蔵チャンバから前記一方向弁を通した前記製品の複数の異なる部分の供給の間、大気に対して密閉的に封止された前記可変容積貯蔵チャンバ内の前記製品を保持するディスペンサ。
【請求項１３】
前記可変容積貯蔵チャンバをその中に含むハウジングをさらに備える請求項１２記載のディスペンサ。
【請求項１４】
前記製品の複数の異なる部分を前記可変容積貯蔵チャンバから前記一方向弁を通して供給するため、前記ディスペンサのチャンバ内に収容された前記製品に圧力を加えるデバイスをさらに備える請求項１２記載のディスペンサ。
【請求項１５】
前記デバイスは、計量された量の前記製品を、前記一方向弁を通して供給する請求項１４記載のディスペンサ。
【請求項１６】
前記デバイスを移動させ、且つ前記製品に圧力を加え、且つ前記製品の部分を前記一方向弁を通して供給するため、前記デバイスに接続された機構をさらに備える請求項１４記載のディスペンサ。
【請求項１７】
製品をディスペンサに収容すると共に前記ディスペンサから前記製品の多数部分を供給するためのディスペンサであって、
大気に対して密閉的に封止された前記製品の多数部分が充填される、密閉的に封止された未充填の可変容積貯蔵チャンバと、
前記可変容積貯蔵チャンバに流体を流通可能で、且つ、製品を前記可変容積貯蔵チャンバへと導入するために、注入部材、注射部材又は針によって貫通可能なものであって、前記注入部材、注射部材又は針が外された後の開口を密閉的に封止するために再封止可能な再封止部材と、
弾性材料から形成されたバルブ部材を備えた一方向弁であって、前記バルブ部材が常閉のバルブ開口及び前記可変容積貯蔵チャンバに流体を流通可能な前記バルブ開口への入口を形成し、前記バルブ部材は、前記バルブ開口を通して製品の供給を許容するため、開弁圧を超える前記バルブ開口への入口における製品に応じて、（ｉ）通常の閉位置と、前記バルブ部材の少なくとも一部分が閉位置から間隔を隔てられた（ｉｉ）開位置との間を移動可能である一方向弁と、
前記開弁圧を上回るように前記バルブ開口への入口における製品に圧力を加えると共に、前記一方向弁を通して前記製品の一部を供給するデバイスであって、前記一方向弁を通した製品の供給の間、前記一方向弁および前記可変容積貯蔵チャンバが大気に対して封止された前記可変容積貯蔵チャンバ内の製品を保持するデバイスとを備えるディスペンサ。
【請求項１８】
前記デバイスは、流体を流通可能に前記可変容積貯蔵チャンバと前記一方向弁との間に接続される請求項１７記載のディスペンサ。
【請求項１９】
前記デバイスを移動させ、且つ前記製品に圧力を加え、且つ前記一方向弁を通して前記製品の一部を供給するため、前記デバイスに接続された手動で係合可能な機構をさらに備える請求項１７記載のディスペンサ。
【請求項２０】
製品の多数部分を収容及び供給するためのディスペンサであって、
内部に密閉的に封止された製品の複数の部分が充填される、密閉的に封止された未充填の可変容積貯蔵チャンバと、
前記可変容積貯蔵チャンバに流体を流通可能で、且つ、製品をチャンバへと導入するために、注入部材、注射部材又は針によって貫通可能なものであって、前記注入部材、注射部材又は針が外された後の開口を密閉的に封止するために再封止可能な再封止部材と、
前記可変容積貯蔵チャンバに流体を流通可能に接続された手段であって、常閉の開口を形成し、且つ前記開口を通して製品の通過を許容するため、通常の閉位置と、前記手段の少なくとも一部分が閉位置から間隔を隔てられた開位置との間を移動し、大気に対して密閉的に封止された前記可変容積貯蔵チャンバ内の前記製品を保持し、且つ前記可変容積貯蔵チャンバから前記手段を通して前記製品の複数の異なる部分を供給するための手段と、  前記開口において製品に圧力を加えると共に前記手段を通して前記製品の一部を供給するために構成されたデバイスとを備えるディスペンサ。
【請求項２１】
前記手段は、弾性材料から形成されると共に常閉のバルブ開口及び前記可変容積貯蔵チャンバに流体を流通可能に接続されたバルブ開口への入口を形成するバルブ部材を備えた一方向弁であり、
前記バルブ部材は、前記バルブ開口を通して製品の供給を許容するため、開弁圧を超える前記バルブ開口への入口における製品に応じて、（ｉ）通常の閉位置と、前記バルブ部材の少なくとも一部分が閉位置から間隔を隔てられた（ｉｉ）開位置との間を移動可能である請求項２０記載のディスペンサ。
【請求項２２】
前記製品は、液体、クリーム、軟膏、糊製品、食品、化粧品、産業用品、家庭用品、薬剤、ワクチン、薬品及び医薬の内の一つを備える請求項１２から２１の何れかに記載のディスペンサ。
【請求項２３】
前記ディスペンサは、前記製品を無菌状態に保持する請求項１２から２１の何れかに記載のディスペンサ。
【請求項２４】
製品を収容及び供給するために、装置によって前記製品が充填されるディスペンサにおいて、前記装置が少なくとも、（ｉ）前記ディスペンサを貫通するための注入部材、注射部材又は針であって、前記注入部材、注射部材又は針を通して前記ディスペンサへと前記製品を導入するための注入部材、注射部材又は針と、（ｉｉ）前記注入部材、注射部材又は針を取り外した後に、前記ディスペンサの穴を再封止するためのエネルギ又は放射線供給源とを含むディスペンサであって、
前記製品を収容するための密閉的に封止された未充填のチャンバを定義する本体と、
前記バルブに取り付けられた一方向弁であって、バルブシート及び前記バルブシートに被さりこれとの間に常閉のバルブ開口を定義するバルブカバーとを含み、前記バルブ開口が前記チャンバに流体を流通可能に接続可能である一方向弁と、
前記本体内に取り付けられたピストンであって、前記チャンバから前記一方向弁を通して製品を供給するときに前記チャンバの容積を変えるため、軸方向に移動可能なピストンと、
密閉的に封止された未充填の前記チャンバに流体を流通可能に接続された再封止可能部材であって、前記製品を前記再封止可能部材を通して密閉的に封止された未充填の前記チャンバへと供給する前記注入部材、注射部材又は針によって貫通可能であり、貫通部を含み、該貫通部は、前記注入部材、注射部材又は針を除去した後の前記貫通部における穴を密閉的に封止するため、前記エネルギ又は放射線供給源からのエネルギ又は放射線の付与に応じて再封止可能である再封止可能部材とを備えるディスペンサ。
【請求項２５】
前記再封止可能部材は、エネルギ又は放射線の付与に応じて実質的に溶解不能である材料を含む請求項２４記載のディスペンサ。
【請求項２６】
前記ピストン及び本体の少なくとも一方が、前記ピストンを前記本体内を軸方向に移動させるために他方に対して回転可能で、且つ前記チャンバから前記一方向弁を通して製品を供給する請求項２４記載のディスペンサ。
【請求項２７】
前記再封止可能部材の前記貫通部が、熱可塑性材料及びエラストマー材料の少なくとも一つから形成される請求項２４記載のディスペンサ。
【請求項２８】
前記再封止可能部材が前記ピストンに配置される請求項２４記載のディスペンサ。
【請求項２９】
前記ピストンが、ガスが前記チャンバから前記バルブを通して出ることを許容すると共に、ガスが前記バルブを通して前記チャンバ内へ他方向に通過することを防止するため、前記ピストンの周囲に隣接して延出する一方向弁を定義する請求項２４記載のディスペンサ。
【請求項３０】
前記一方向弁は、前記ピストンから側方外側に延出する可撓性部材によって定義され、前記可撓性部材と本体との間のシールを形成するため、前記本体に係合可能である請求項２９記載のディスペンサ。
【請求項３１】
前記本体が軸方向に延出する少なくとも一つの流体通路を定義し、該流体通路は、前記チャンバ内に前記製品が充填されたときに流体を通過させるため、前記本体と前記ピストンとの間に延出する請求項２４記載のディスペンサ。
【請求項３２】
前記エネルギ又は放射線供給源は、（ａ）熱供給源又は（ｂ）所定の波長及び強度のレーザ光線を送るレーザであり、前記再封止可能部材の貫通部は、前記熱供給源から前記貫通部に熱エネルギを付与し又は前記レーザから前記貫通部に前記所定の波長及び強度のレーザ光線を付与することによって、前記穴を密閉的に封止するために加熱再封止可能であり、前記再封止可能部材は熱可塑性の本体を備え、
該熱可塑性の本体は、（ｉ）その軸方向における所定壁厚さ、（ｉｉ）所定波長のレーザ光線を実質的に吸収し、レーザ光線の所定壁厚さの通過を実質的に防ぐ所定の色及び不透明度、（ｉｉｉ）所定の波長及び強度のレーザ光線で、前記貫通部に形成された前記穴を所定時間内に密閉的に封止するような所定の色及び不透明度を定義する請求項２４記載のディスペンサ。
【請求項３３】
前記貫通部は、本質的にスチレン系共重合体からなる第１材料と本質的にオレフィンからなる第２材料との熱可塑性混合物から形成される請求項３２記載のディスペンサ。
【請求項３４】
前記第１材料及び第２材料は、重量比で約５０：５０から約９５：５の範囲内で混合される請求項３３記載のディスペンサ。
【請求項３５】
（ｉ）前記所定の波長は９８０ｎｍである、（ｉｉ）前記所定の色はグレーである、（ｉｉｉ）前記所定時間は１．５秒以下である、（ｉｖ）前記所定の強度はおよそ３０ワット未満である、の内少なくとも一つを満足する請求項３２記載のディスペンサ。
【請求項３６】
前記所定の波長は約９８０ｎｍであり、前記所定の強度は約８ワットから約１０ワットの範囲内であり、前記所定の色はグレーであり、前記所定の不透明度は、重量％で約０．３％から約０．６％の範囲内のダークグレー着色料によって定義される請求項３２記載のディスペンサ。
【請求項３７】
製品を収容及び供給するために構成されたディスペンサを製品で満たす方法であって、  ディスペンサを提供し、該ディスペンサは、密閉的に封止された未充填のチャンバを定義する本体と、前記本体内にスライド可能に受け入れられるピストンと、前記本体に取り付けられバルブシートを含む一方向弁と、前記バルブシートに被さり且つそれらの間に前記チャンバに流体を流通可能に接続される常閉のバルブ開口を定義するバルブ部材と、エネルギ又は放射線の付与に応じて再封止可能な再封止可能部材とを含み、
前記製品の供給源に流体を流通可能に接続された注入部材、注射部材又は針を用いて前記再封止可能部材を貫通し、
前記注入部材、注射部材又は針を通して前記本体の密閉的に封止された未充填の前記チャンバへと前記製品を導入し、
前記再封止可能部材から前記注入部材、注射部材又は針を取り外し、
貫通部を再封止すると共に実質的にガスが通らないシールを形成するため、十分なエネルギ又は放射線を前記再封止可能部材における前記再封止可能部分の前記貫通部に与えるステップとを備える方法。
【請求項３８】
前記エネルギ又は放射線を与えるステップは、熱エネルギ又は所定の波長及び強度のレーザ光線を付与することを含み、
軸方向における壁厚さを定義する熱可塑性の本体を有する前記再封止可能部材を提供するステップと、所定波長のレーザ光線を実質的に吸収し、レーザ光線の所定壁厚さの通過を実質的に防ぐ、前記熱可塑性の本体における所定の色及び不透明度を選択するステップと、所定の波長及び強度のレーザ光線で、前記貫通部に前記注入部材、注射部材又は針によって形成された穴をおよそ２秒以下の所定時間内に密閉的に封止し又は溶解させるような、前記熱可塑性の本体における所定の色及び不透明度を選択するステップとをさらに備える請求項３７記載の方法。
【発明の詳細な説明】
【関連出願の相互参照】
【０００１】
この特許出願は、２００２年８月１３日出願の米国仮特許出願第６０／４０３，４８４号「物質量の物質を供給するための、密閉チャンバ及び一方向弁による供給」、２００１年１０月１６日出願の米国仮特許出願第６０／３２９，７７９号「計量された量の物質を供給するための注射器」、及び２００２年８月１３日出願の米国仮特許出願第６０／４０３，３９６号「無菌物質を収容及び供給するための容器並びにそれを製造及び満たす方法」に関連し、これらの各々は参照によりここでの開示の一部として本願に明白に組み込まれる。
【技術分野】
【０００２】
本発明は、コントロール（制御）され計量された量の、薬剤、医薬、化粧品及び食品等の様々な多種の物質のいずれをも人間又は動物に供給（又は分配若しくは施与；ｄｉｓｐｅｎｓｅ）するための、または接着剤等の空気に曝されることで反応する材料を供給するための、注射器及びそのようなディスペンサに関する。本発明のディスペンサは、ディスペンサ内に収容される物質の正確な量を供給するため、ディスペンサ内のプランジャの移動量をコントロールするための手段を含む。本発明のディスペンサはさらに、ディスペンサの内部室とプランジャとの境目を密閉的にシールするため、プランジャに接続された又はプランジャを形成する、可融性の又は他のストッパを含んでもよい。これによりプランジャを通じた空気や汚染物質の浸入を防止する。本発明のディスペンサは、さらに、供給端（ｄｉｓｐｅｎｓｉｎｇ  ｔｉｐ）を密閉的にシールし、供給端を通じた空気や汚染物質の、ディスペンサ内に収容される薬剤又は他の物質への進入を同様に防止するため、供給端を形成する一方向弁（ｏｎｅ−ｗａｙ  ｖａｌｖｅ）を含んでもよい。ディスペンサ内に収容される物質への空気又は汚染物質の進入を防ぐことによって、物質における防腐剤の使用を縮小又は除去することができる。
【背景技術】
【０００３】
過剰投薬を防止するにはコントロールされた量の薬剤を供給するのが望ましい。過剰投薬は、薬剤がクリーム又は液状であるとき特に生じる可能性がある。例えば、幼児又は子供に与えられる薬剤の服用量を注意深くコントロールすることが極めて望ましいが、計量カップのような従来の計測装置を使用して適切な服用量を測定するのは困難であり得る。例えば、皮膚にきびを抑制するため顔に塗布されるクリームのように、薬剤がクリーム又は軟膏状である場合、薬剤は、正確な服用量の薬剤を供給しないチューブ又は他の容器に入っていることが多い。クリームの超過量の塗布は皮膚炎症及び乾燥を生じさせることがある。また、指を使用するクリームの適用は薬剤の汚染を生じさせることがある。
【０００４】
例えば防腐性ベータダイン（Ｂｅｔａｄｙｎｅ（商標））等のいくつかの薬剤に関し、皮膚上の正確な位置へのコントロールされた服用量の供給は、皮膚又は衣類の過度のしみを回避するのに望ましい。例えば胃腸炎用ワクチン等の、あるワクチンに関し、多数の正確な服用量のワクチンを供給できる密閉的にシールされたディスペンサは、ワクチンとディスペンサとの両方の消費を減少できる。
【０００５】
コントロールされた量の薬剤が供給されることを可能にするいくつかの装置が従来説明されている。これらの装置は製造、組立て、及び薬剤充填を行うのに複雑であるかもしれない。その結果、これらの装置は、製造するのに高価であるかもしれず、また、カウンタ越し（ｏｖｅｒ  ｔｈｅ  ｃｏｕｎｔｅｒ；ＯＴＣ）薬剤にとって有用でないかもしれない。この種の装置の他の欠点は、保存中、又は薬剤が供給される時、空気が装置内に入る可能性があるということである。薬剤の保存又は供給時に装置に入った空気は、薬剤の劣化や、薬剤の効能の減少や、薬剤の腐敗を引き起こす可能性があり、これにより薬剤の廃棄が必要となることがある。
【０００６】
いくつかの薬剤に関し、防腐剤（保存料）が、空気又は他の汚染物質の進入による使用前の薬剤の劣化又は腐敗を防ぐために付加される。しかしながら、防腐剤が薬剤と反応し、その効能を減少する可能性がある。さらに、一部のユーザが、薬剤中の防腐剤に対し望ましくない副作用を起こす可能性がある。
【０００７】
エアゾール状に薬剤を供給するための、或いは目に供給するための一方向スプレーが、ダニエル・ピィ博士に与えられた１９９４年６月１４日発行の米国特許第５，３２０，８４５号と、ダニエル・ピィ博士に与えられた１９９７年３月２５日発行の米国特許第５，６１３，９５７号と、ダニエル・ピィ博士に与えられた１９９８年５月５日発行の米国特許第５，７４６，７２８号と、ダニエル・ピィ博士に与えられた１９９９年１月５日発行の米国特許第５，８５５，３２２号と、ダニエル・ピィ博士に与えられた２０００年４月２５日発行の米国特許第６，０５３，４３３号との各公報において説明され、これらの各々は、ここでの開示の一部として参照により本願に組込まれる。
【０００８】
クリーム又は液体メーキャップ等の化粧品もまた、空気に曝されることによって劣化し、損なわれる可能性がある。従って、ディスペンサ内に収容される薬剤、化粧品又は他の物質への空気又は他の汚染物質の進入を防止できるディスペンサを提供することが望ましく、また、それから供給される物質の量の改善されたコントロールを提供することが望ましい。コントロールされた量の、空気に敏感な他の物質（例えば接着剤）を供給するのに用いることができると共に、後の使用のための物質の未使用部分を保存できる、密閉的にシールされたディスペンサを提供するのが望ましい。
【先行技術文献】
【特許文献】
【０００９】
【特許文献１】米国特許第５，３２０，８４５号公報
【特許文献２】米国特許第５，６１３，９５７号公報
【特許文献３】米国特許第５，７４６，７２８号公報
【特許文献４】米国特許第５，８５５，３２２号公報
【特許文献５】米国特許第６，０５３，４３３号公報
【発明の概要】
【発明が解決しようとする課題】
【００１０】
従って、計量された量の、ディスペンサ内に収容される物質を供給するための手段を備えたディスペンサを提供することが、本発明の目的に含まれる。
【００１１】
本発明の他の目的は、供給端に一方向弁を備え、その供給端を通じて物質が流れることを許容する一方、供給端を通じて空気又は他の汚染物質が物質に入るのを防止する注射器又はそのようなディスペンサを提供することである。
【課題を解決するための手段】
【００１２】
本発明は、調整された量の、薬剤、医薬品、化粧品、食品又は接着剤等の様々な多種の物質のいずれをも供給するのに用いられることができる、注射器及びそのようなディスペンサに関する。物質を収容するディスペンサの一部は、好ましくは密閉的にシールされ、その物質への空気又は他の汚染物質の進入を防ぐ。ディスペンサは、本体と、本体内に受容されたプランジャとを含む。ディスペンサの本体は、その下部に収容チャンバを有し、そこに薬剤又は他の物質が収容される。チャンバの一端に供給端が設けられ、薬剤又は他の物質がそれを通って塗布又は供給される。
【００１３】
プランジャが、本体に挿入されると共に本体内で移動され、これにより薬剤又は他の物質が供給端から押し出される。本発明の現在好ましい実施形態において、プランジャは、（１）収容チャンバ内に収容される薬剤又は他の物質と接触する基部（ｂａｓｅ）又は先端（ｔｉｐ）と、（２）基部に取り付けられ、本体の下部の空間（ｃａｖｉｔｙ）内に移動する駆動部分と、（３）注射器のプランジャの移動を案内する上部ガイド部と、（４）ユーザによってつかむことができる、プランジャに接続されたノブ又は同様の把持部とを含む。
【００１４】
ディスペンサは、好ましくは、収容チャンバに収容された物質の所定量を供給するため、プランジャの移動量をコントロールするための手段を含む。本発明の一実施形態において、プランジャの移動量をコントロールするための手段は、プランジャの上部ガイド部におけるカム状部材を含み、カム状部材は、本体の上部の内壁に形成された多段部に係合し、これと協働する。プランジャが回転されると、カム状部材は多段部に沿って移動し、プランジャによる本体内への段階的移動（ｓｔｅｐ−ｗｉｓｅ  ｍｏｖｅｍｅｎｔ）を行わせる。この段階的移動により、本体に収容された物質が、供給端を通じて、プランジャの各段階的移動又は単位量の移動毎に、正確な所定量だけ供給されるようになる。
【００１５】
本発明の他の実施形態において、プランジャの移動量をコントロールするための手段は、プランジャの上部ガイド部に形成されたネジを含み、ネジは、本体の上部の内壁に形成された部分ネジに係合する。プランジャの上部ガイド部のネジは、ネジ径が徐々に増大するような複数の領域を有する。ネジ径の増大は、本体上部の内壁の部分ネジの径に相当する直径から開始し、部分ネジの径より大きな直径で終了する。プランジャの最大径ネジは、部分ネジの間の本体の直径より小さな直径を有する。
【００１６】
プランジャが回転されると、プランジャのより大きな直径のネジが、次第に、本体の上部内壁の部分ネジに係合されていく。これは本体の上部をわずかに膨張させる。プランジャの最大径ネジが本体の部分ネジから外れて部分ネジの間の領域に入ると、本体は急速にその本来の直径に戻る。より大きな直径のネジが部分ネジの間の領域に位置するとき、プランジャアッセンブリは定位置にロックされ、このロック状態は、プランジャアッセンブリに十分な力が加えられてより大きな直径のネジが本体の内壁の部分ネジに係合する時まで継続する。望まれるようなネジピッチの設定によって、ネジ部を通過するプランジャの回転毎の移動距離が正確にコントロールされることができる。これにより、プランジャの各回転増加毎に所定量の物質供給を行える。
【００１７】
本発明の他の実施形態において、本体は、エラストマー製アウターカバーに入れられた内側本体を備える。本体の上部は複数のネジ要素を備える。ネジ要素は、ネジ要素間に位置され軸方向に伸長された複数の溝を本体の上部チャンバに区画する。プランジャの上部ガイド部は、複数の部分ネジ部を含む。プランジャの上部ガイド部は、ネジ要素の間の溝に適合する複数の突起（ｔｉｎｅ）又は他の隆起部を含んでもよい。プランジャが回転されると、突起はネジ要素を通過移動し、その結果エラストマー製カバーに入れられた上部チャンバを膨張させる。突起がネジ要素を通過移動してネジ要素間の溝に入ったとき、本体の上部チャンバはその本来のサイズに復元する。
【００１８】
ディスペンサの供給端は、一方向弁アッセンブリの使用によって密閉的にシールされる。本発明の現在好ましい実施形態において、一方向弁アッセンブリは、エラストマー製カバーの形態を持つバルブを含み、バルブは、供給端における軸又はポスト（ｐｏｓｔ）の形態を持つバルブシートと接触する。通常の閉位置で、エラストマー製カバーの内面は中心部と接触し、密閉シールを形成する。供給端は、ポストの基部のまわりに１以上の開口を含み、開口は本体の収容チャンバと連通する。プランジャが収容チャンバの中へ移動すると、収容チャンバ内の物質が圧力を受け、供給端の開口を通じて流れる。加圧された物質は、エラストマー製カバーの内面に力を加え、エラストマー製カバーの内面をポストから分離させ、物質が供給端から流出することを可能にする。物質に加えられた圧力が解放されたとき、エラストマー製カバーは通常の閉位置に戻る。
【００１９】
本発明の他の実施形態において、加熱再封止可能な（ｈｅａｔ−ｒｅｓｅａｌａｂｌｅ）、又は可融性のストッパが、プランジャの基部に含まれる。そのうちの一実施形態において、可融性ストッパは、硫化ゴムのベースと、加熱封止可能な材料で作られるインサートとを含む。そのうちの他の実施形態において、ストッパは、レーザエネルギ又は同様の放射エネルギの使用によって加熱再封止されることのできる高分子材料の混合物から作られる。物質を収容するためのチャンバは、可融性ストッパを通じて針を挿入することによって満たされ、針とチャンバとは流体が流通可能に連通する。収容チャンバが満たされると、収容チャンバ内の空気は、可融性ストッパの外周囲の可撓性フラップを越えて、又は針（例えばダブルルーメン針）の中に形成された孔を通じて、又は針とストッパとの間から、排出されることができる。収容チャンバが満たされた後、加熱封止可能な材料からなるストッパが加熱され、針によって作られた穴を埋めると共に、可融性ストッパの外周囲の可撓性フラップがその通常位置に復帰して収容チャンバを密閉シールする。
【００２０】
本発明の他の実施形態は、供給端を通じた物質の漏れ残り（ｒｅｓｉｄｕａｌ  ｓｅｅｐａｇｅ）を防止するための手段を含む。本発明の現在好ましい実施形態において、本体は複数の第１ネジを有し、プランジャは、第１ネジに係合可能な複数の第２ネジを有し、これによりプランジャ及び本体の少なくとも一方が他方に対し相対移動する。この実施形態において、漏れ残りを防止するための手段は、第１ネジと第２ネジとの間に形成された軸方向の隙間によって形成される。軸方向隙間は、計量された量の物質が供給端を通じて供給された後にプランジャと本体との少なくとも一方が他方に対し軸方向に相対移動することを許容し、さらに、物質を収容するチャンバとディスペンサ外部との間のいかなる圧力差をも減少又は除去するのに十分である。
【００２１】
本発明の一つの利点は、ディスペンサが、コントロールされた量のいかなる種類の物質をも供給できる点にある。その物質とは、例えば医薬、ワクチン、薬品又は他の調合薬剤又は処方薬、化粧品、食品、及び接着剤等の産業用品又は家庭用品である。本発明の現在好ましい実施形態は、比較的安価に製造でき、これによりディスペンサが、非常に広範囲の物質（液体、クリーム、軟膏、糊製品、及び他の液体及び物質を含む）に使用されることを可能にする。
【００２２】
本発明の他の利点は、ディスペンサの供給端における一方向弁が、その供給端を密閉してシールすると共に、ディスペンサに収容される物質内への空気又は他の汚染物質の浸入を防止し、これにより、防腐剤無しで物質が保存されることを可能とし、そのような防腐剤が収容されない物質の複数回分がディスペンサ内に収容されることを可能にする点にある。
【００２３】
注射器の他の利点及び本発明の他のディスペンサは、後述される本発明の現在好ましい実施形態の詳細な説明、特許請求の範囲及び添付図面に基づき、直ちに明らかになるであろう。
【発明の効果】
【００２４】
本発明によれば、計量された量の、ディスペンサ内に収容される物質を供給するための手段を備えたディスペンサを提供することができる。また、本発明によれば、供給端に一方向弁を備え、その供給端を通じて物質が流れることを許容する一方、供給端を通じて空気又は他の汚染物質が物質に入るのを防止する注射器又はそのようなディスペンサを提供することができる。
【図面の簡単な説明】
【００２５】
本発明が属する技術分野の通常の知識を有する者がより容易に本発明を理解するため、図面を参照することができる。
【図１ａ】本発明を具現化する注射器タイプのディスペンサの前方斜視図で、注射器本体に部分的に挿入されたプランジャを示す。
【図１ｂ】注射器の後方斜視図で、注射器本体に部分的に挿入されたプランジャを示す。
【図２】図１ａの注射器の本体の前方斜視図である。
【図３】図１ａの注射器の注射器本体の後方斜視図で、本体の上部の内面に形成された螺旋状多段部を示す。
【図４】図２のＡ−Ａ線に沿った、本体の第１の半分の断面図で、本体の内壁を示す。
【図５】図２のＡ−Ａ線に沿った、本体の第２の半分の断面図で、注射器本体の内壁を示す。
【図６ａ】図１ａの注射器のプランジャの前方斜視図である。
【図６ｂ】図１ａの注射器のプランジャの後方斜視図である。
【図７ａ】図１ａの注射器のやや概略的な部分断面図で、本体内でのプランジャの移動をコントロールするための手段を示し、本体内でのプランジャの移動の進行を示す。
【図７ｂ】図１ａの注射器のやや概略的な部分断面図で、本体内でのプランジャの移動をコントロールするための手段を示し、本体内でのプランジャの移動の進行を示す。
【図７ｃ】図１ａの注射器のやや概略的な部分断面図で、本体内でのプランジャの移動をコントロールするための手段を示し、本体内でのプランジャの移動の進行を示す。
【図８】図１ａの注射器の部分断面図で、本体の収容チャンバ内における、プランジャの基部の可融性ストッパを含む。
【図９】図８に示される注射器の可融性ストッパの部分断面図である。
【図１０】図９の可融性ストッパ及び本体の断面図である。
【図１１】本発明の注射器タイプのディスペンサの第２実施形態の斜視図で、部分ネジ部を含む本体と、プランジャの移動量をコントロールするためのネジ付き上部ガイド部を備えたプランジャとを示す。
【図１２】図１１の注射器の、部分的に破断された斜視図である。
【図１３】図１１の注射器の断面図である。
【図１４】図１１の注射器の断面図である。
【図１５】図１１の、本体と、プランジャの上部ガイド部との断面図である。
【図１６】図１１の注射器のプランジャの側面図である。
【図１７】図１６の（Ｂ詳細の）部分拡大図で、プランジャの上部ガイド部のネジの一部を示す。
【図１８】本発明の注射器タイプのディスペンサの第３実施形態の一部破断斜視図で、それはエラストマー製アウターカバーを有する。
【図１９】図１８の注射器の斜視図で、エラストマー製アウターカバー、ネジ要素及びプランジャの上部ガイド部を示すため一部破断されている。
【図２０】図１８の注射器の本体及び上部ガイド部の部分的な断面図である。
【図２１】図１８の本体の部分斜視図で、本体の上部におけるネジ要素を示すため一部破断されている。
【図２２】本発明の注射器タイプのディスペンサの他の実施形態の断面図で、それは、密閉シールされた物質の供給端を通じた漏れ残りを防止するための手段を含み、完全伸長位置にあるプランジャを示す。
【図２３】図２２の注射器タイプのディスペンサの断面図で、引込位置にあるプランジャを示す。
【図２４】図２２及び図２３の本体の部分的な斜視図で、本体の内壁に形成された別々の、軸方向に延出するネジ部を示す。
【図２５】図２２及び図２３の注射器タイプのディスペンサのやや概略的な断面図で、ネジが設けられた本体内におけるネジ付プランジャの１／４回転の回転移動の進行を示す。
【図２６】図２２及び図２３の注射器タイプのディスペンサのやや概略的な断面図で、ネジが設けられた本体内におけるネジ付プランジャの１／４回転の回転移動の進行を示す。
【図２７】図２２及び図２３の注射器タイプのディスペンサのやや概略的な断面図で、ネジが設けられた本体内におけるネジ付プランジャの１／４回転の回転移動の進行を示す。
【図２８】注射器本体のネジとプランジャのネジとの概略図で、シールされた物質の供給端を通じた漏れ残りを防止するため、静止位置に位置されたときのプランジャの軸方向のあそびを示している。
【図２９】図２２及び図２３のプランジャの部分斜視図で、明瞭化のため部品が省略され、プランジャの異なるネジ部を示している。
【図３０】図２９のプランジャの断面図で、プランジャの異なるネジ部をさらに示す。
【図３１】本発明の注射器タイプのディスペンサの他の実施形態の断面図で、それは、隠蔽されたプランジャと、注射器本体を通ってプランジャを回転移動させるための駆動機構とを含み、完全伸長位置にあるプランジャを示す。
【図３２】図３１の注射器タイプのディスペンサの断面図で、引込位置にあるプランジャを示す。
【図３３】本発明の注射器タイプのディスペンサの他の実施形態の断面図で、それは、隠蔽されたプランジャと、注射器本体を通ってプランジャを回転移動させるための駆動機構とを含み、引込位置にあるプランジャを示す。
【図３４】図３３の注射器タイプのディスペンサの断面図で、伸長位置にあるプランジャを示す。
【図３５】本発明の注射器タイプのディスペンサの他の実施形態の断面図で、それは、化粧用に、ユーザの唇又は他の表面の輪郭に倣って接触する形状とされた供給端を含む。
【図３６】図３５の注射器タイプのディスペンサの側面図である。
【図３７】本発明の注射器タイプのディスペンサの他の実施形態の部分断面図で、それは、化粧用に、他の特殊形状とされた供給端を含む。
【図３８】本発明の他の注射器タイプのディスペンサの斜視図で、それは、隠蔽されたプランジャと、注射器本体を通ってプランジャを段階的に回転移動させるための駆動機構とを含む。
【図３９】図３８の注射器タイプのディスペンサの分解斜視図である。
【図４０】図３８の注射器タイプのディスペンサの他の分解斜視図である。
【発明を実施するための形態】
【００２６】
本発明は、コントロールされた量の物質、例えばワクチン、薬剤及び他の医薬品、化粧品、食品、接着剤、又は空気と反応して損傷或いは劣化し得る他のあらゆる物質等の物質を供給するための、改良された注射器及び他のディスペンサに関する。図１ａ及び図１ｂに示されるように、本発明の改良された注射器タイプのディスペンサは本体１２及びプランジャ１４を含む。注射器本体１２内でのプランジャ１４の移動量をコントロールするための手段が設けられ、これにより正確な量の物質を注射器から供給することができる。図８に示されるように、加熱封止可能な、又は他のタイプのストッパが、プランジャの先端に設けられ、これにより注射器の下部又は収容チャンバが密閉シールされ、注射器内の物質への空気又は汚染物質の進入が防止される。さらに、図１に示されるように、物質の供給に使用される注射器の先端１６は、一方向弁を含み、これにより、物質が空気又は他の汚染物質に曝されることが防止される。もしこれがなければ、空気又は他の汚染物質が注射器の先端を通じて進入するであろう。ここに開示される好適実施形態は、本発明の思想の例示と考えられるべきであり、説明される実施形態に本発明を限定することは意図されない。ここで説明される発明の思想及び範囲から外れることなく、様々な変更が、ここでの教示に基づき、当業者にとって明らかになるであろう。
【００２７】
ここで使用されるような、用語「注射器」又「「注射器タイプのディスペンサ」は、物質（例えば液体、クリーム、軟膏又は流体）を身体内に、又は皮膚上に、又は物体の表面上に、注出又は供給するために、物質を収容するチャンバを通って移動可能なプランジャ又は他の要素を有する装置を意味する。さらに、用語「プランジャ」は、装置から物質を供給するために、チャンバに収容される物質に圧力を加えるために用いられる装置を意味するためにここで使用される。
【００２８】
段階的移動のためのカム状部材を有する注射器タイプのディスペンサ
図１ａ〜図７ｃにおいて、本発明の注射器タイプのディスペンサの第１実施形態が、全体として符号１０で示される。図１ａ及び図１ｂに示されるように、注射器は、本体１２と、注射器本体内に嵌め入れられるプランジャ１４と、一方向弁５４を有した供給端１６とを含む。本体１２とプランジャ１４とは、好ましくは、成型可能なプラスチックから作られる。しかしながら、本発明はこの点に関して限定されず、当業者に現在知られており又は将来知られることになるいかなる適当な材料をも用いることができる。
【００２９】
図２を参照して、注射器１０の本体１２は略円筒状である。図２に示された本発明の実施形態において、注射器本体は上部１８と下部２０とを有し、上部は下部より大きな直径を有している。上部１８はテーパ部２２によって下部２０に接続される。しかしながら、本発明はこの点に関して限定されず、上部及び下部はいかなる所望の寸法又は形状であってよい。上部及び下部の直径が同じである場合、テーパ部は省略されることができる。
【００３０】
テーパ部２２とは反対に位置する、上部１８の外側端に、使用時に注射器をつかむための手段が設けられてもよい。図２に示された本発明の実施形態では、使用時に注射器をつかむため、二つの反対側に位置する平らな部材２４が、注射器の上部の頂端から垂直に突出している。平らな部材２４は、好ましくは略三角形状であるが、あらゆる望まれる寸法又は形状が用いられてもよい。
【００３１】
図３〜図５に示されるように、上部１８及び下部２０の内壁は円筒状の空間を区画する。注射器本体の上部１８の内壁は、ほぼ螺旋状の経路を区画する複数の段３４を含む。図４及び図５は、図２のＡ−Ａ線に沿った、互いに反対側の、注射器本体内部の半分を示すが、これら図に示されるように、注射器本体１２の上部１８の内壁は、注射器本体の上部１８の互いに反対側の内壁３６に形成された、２つの螺旋状多段部３４を区画する。それぞれの多段部３４はほぼ螺旋形の経路を区画する。図４に示されるように、一方の多段部３４は、注射器本体の上部１８の頂部からテーパ部２２に向かう方向の、多段部に沿った移動を許容するよう方向付けられる。図５に示されるように、他方の多段部は、一方の多段部とは反対の方向に方向付けられ、プランジャ１４の後退移動を防止する。この点は後述する。
【００３２】
図７ａ〜７ｃに示されるように、注射器本体１２の下部２０の内壁３８は、滑らかな円筒状の穴を区画すると共に、下部２０の軸方向長さに亘ってほぼ一定の内径を有する。注射器の下部２０は、供給される物質を収容するための収容チャンバを区画すると共に、プランジャの基部と摩擦係合するような寸法とされる。この点は後述する。下部２０の内径は、好ましくは一定であり、これによって、プランジャ１４の所定距離の移動に対し、それに収容される薬剤又は他の物質の特定量が、注射器から供給されるようになる。注射器本体の下部の端に、全体的に符号１６で示される供給端が設けられ、これによって、プランジャが下部に挿入されるにつれ、注射器から薬剤が流れることが可能になる。図２に示されるように、本発明の一実施形態では、供給端１６は、環状のＵ字状溝３０を区画するフランジ２８を含む。供給端は、伸長された中心軸又はポスト３２の形態を持つバルブシートを区画する。複数の開口（図示せず）が、中心軸３２の基部の周囲に設けられる。複数の開口の各々は、注射器の下部２０内のチャンバに連通し、注射器に収容される物質を供給するための通路を提供する。以下に説明される一方向弁のような一方向弁５４が、供給端に含まれ、物質のコントロールされた供給を許容すると共に、供給端を密閉シールして注射器内の物質の空気又は汚染物質（汚染菌）への暴露を防止する。本発明の別の実施形態において、中心軸３２は、注射器の下部内のチャンバに連通する中心円筒状流路を設けられることができ、これにより注射器に収容される物質を供給するための通路が提供される。本発明の他の実施形態において、当業者に現在知られており又は将来知られることになる他の供給端の機構が、注射器本体に固定して取り付けられることができる。例えば、商標ＬＵＥＲ−ＬＯＫで販売されている従来の接続装置が、使い捨てニードルの取り付けを許容すべく、注射器の供給端に使用されることができる。他のニードル接続手段、例えば、ネジ付取付具、エラストマー製プラグ、又は嵌合エンドキャップが、ニードルを注射器の先端に取り付けるために同様に使用されてもよい。注射器本体の下端は、選択されたニードル接続手段が取り付けられるよう、必要に応じて形状が決められ、又はネジが形成されることができる。注射器内部の薬剤又は他の物質を供給すべくニードルが注射器に接続されるまで、注射器の供給端を密閉的にシールするためのキャップ又は他の手段（図示せず）が使用されることができる。
【００３３】
ここで図６ａ及び図６ｂを参照して、プランジャ１４は、基部又は先端４０、下部駆動部４２及び上部ガイド部４４を備える。先端４０の前面４６が、使用時、注射器の下部２０の収容チャンバ内の物質に接触する。先端４０は、注射器本体の下部２０のチャンバ内に摺動嵌合する寸法とされ、これにより、先端４０が下部２０に挿入されるとき、物質が、基部と、注射器の下部２０の内面との間から漏出しなくなる。先端４０は、好ましくは、注射器内の物質と反応しない材料から作られる。例えば、後述するプランジャ先端の機能を実行すべく、現在知られており又は将来知られるようになる、成型可能な様々なプラスチックから作られる。さらに、プランジャ先端４０は、好ましくは、注射器の本体によって形成されるチャンバ内の物質を密閉シールする弾性材料から作られる。例えば、後述する加熱再封止可能なストッパ、又は、後述するプランジャ先端の機能を実行すべく、現在知られており又は将来知られるようになる、様々なプランジャ先端材料から作られる。
【００３４】
プランジャ１４の駆動部４２は、注射器本体の下部２０内にスライド可能に嵌合するような形状又は寸法とされる。駆動部４２の外径は、好ましくは、注射器本体の下部２０の内径より少なくとも僅かに小さく、これにより、プランジャの注射器本体内での移動によって発生する摩擦力が減少される。下部の駆動部４２は、注射器本体の下部２０のチャンバ内に完全に挿入されるのに十分な長さを有するべきである。
【００３５】
プランジャ１４の上部ガイド部４４は、互いに径方向反対側に位置された二つのカム状部材４８を有する。これらカム状部材４８は、プランジャ１４の上部ガイド部４４の外表面から垂直に延出する。カム状部材４８は、注射器本体の上部１８の内壁３６に形成された多段部３４と協働し、プランジャの注射器内への段階的な移動の量をコントロールするための手段を提供する。図７ａに示されるように、カム状部材４８は、好ましくは、カム状部材４８が、注射器本体１２の上部１８の内壁に形成された多段部３４に係合するとき、注射器本体の下部２０の穴に収容される薬剤又は他の物質にプランジャの基部４０が接触するよう、上部ガイド部４４に配置される。図６ａ及び図７ａに示されるように、プランジャ１４の上部ガイド部４４の外面は、使用時に付加的な剛性及び／又は強度を与えるための複数の羽根５０その他の支持手段を含む。上部ガイド部４４は、注射器本体の上部１８内にスライド可能に嵌合するための寸法及び大きさとされるべきである。使用時にユーザがプランジャを掴むための手段を提供するため、取っ手又は他の把持部５２が、プランジャ１４の上端に形成される。
【００３６】
注射器１０は、好ましくは、その供給端に一方向弁機構を含み、これにより、空気又は他の汚染物質が供給端を通じて注射器内の物質に進入するのが防止される。図１ａ、図２及び図７ａを参照して、一方向弁は、注射器本体の供給端１６に可撓性カバー５４を取り付けることにより形成される。可撓性カバー５４は、好ましくはエラストマー材料から作られる。可撓性カバー５４の内面は、供給端１６のフランジ２８に被さって適合すると共に供給端の周りに延出する環状のＵ溝３０内に一体的に適合するような形状とされる。可撓性カバー５４は、供給端の中心軸又はバルブシート３２に対ししまり嵌めをなす。可撓性カバー５４は、注射器本体１２の下部２０の外面から、供給端１６の中心軸３２のほぼ先端まで延出する。
【００３７】
図７ａ〜図７ｃに主に示されるように、中心軸の基部において、複数の円筒状開口５６が供給端を貫通する。円筒状開口５６は、注射器の下部２０内の収容キャビティに連通すると共に、プランジャ１４が注射器の下部２０内に前進されたとき、下部２０のキャビティ内の薬剤又他の物質が流通する通路を提供する。可撓性カバー５４と中心軸３２との間のしまり嵌めは、注射器内に収容される物質の一服用量が供給されるまで、円筒状開口５６を密閉シールするための常閉弁を形成する。示されるように、バルブシート３２と接触する可撓性カバー５４の部分は、好ましくは、厚さがバルブシートの基部付近で大きくなり、バルブシートの末端付近でより小さくなるようなテーパ状とされ、これによりバルブの開放と、これを通じた物質の流動とが容易となる。さらに、バルブシート３２、バルブカバー５４、及びそれらの間に形成された環状のバルブ開口の各々の軸方向長さは、バルブ開口を通じて物質を供給するとき、バルブカバーの環状部分を常にバルブシートに接触させ続けるのに十分な長さを有する。見られるように、バルブカバー５４はそれを通ずる孔を有する。バルブシート３２は、孔の中に受け入れられ、バルブシートとバルブカバーとの境目に、常時閉とされる環状バルブ開口を形成する。バルブシートの直径（又は幅）は、カバーの孔の直径（又は幅）より大きく、これによりしまり嵌めと、それらの間の常閉のバルブ開口とを形成する。好ましくは、バルブカバー孔とバルブシートとの間のしまりの程度は、それらの間での物質の流れを容易にするため、ディスペンサの内部から外部に、バルブシートの軸方向に沿って減少する。  
ここでの教示に基づき当業者に理解されるように、本発明のディスペンサの一方向弁は、ここで説明される弁の機能を達成するため、前述の同時係属の特許出願第６０／４０３，４８４号に開示された全ての一方向弁の形態を含めて、現在知られており又は将来知られるであろう様々な形態を採ることができる。
【００３８】
図７ａ，７ｂ及び７ｃを再び参照して、注射器に収容される物質を供給するため、プランジャ１４は、上部ガイド部のカム状部材４８が注射器の上部の内壁に沿って１段３４降りるまで、回転され押し下げられる。図７ｂに示されるように、プランジャアッセンブリが回転されると、プランジャの基部４０は、注射器２０の下部チャンバ内に移動する。基部４０は、注射器の下部チャンバ内の物質に圧力を加え、これにより物質が、注射器の供給端の中心軸３２の基部における円筒状開口５６内に流入するようになる。加圧された物質は、可撓性バルブカバー５４の内面に力を加え、可撓性カバー５４を中心軸３２から離れさせ、これによって、物質が、可撓性カバー５４の内面と中心軸３２との間を流れることを可能にする。プランジャが所定距離前進し、注射器に収容される物質の所望量を供給すると、物質に加えられた力は解放され、可撓性カバーはその常閉位置に戻る。このとき中心軸３２は可撓性カバー５４の内面と接触して密閉シールを形成する。図７ｃに示されるように、プランジャ１４は、プランジャの先端４０が注射器の下部２０のチャンバ内を完全に通過移動し、これによって全ての収容物質をそこから供給するまで、段階的に注射器内に挿入されることができる。
【００３９】
カム状部材４８は、注射器の上部１８の内面上の多段部３４と協働し、プランジャの移動量を制限する。プランジャの基部が移動する距離はそれによって正確にコントロールされる。また、注射器に収容される薬剤又は他の物質の正確な量が供給されることができる。供給される薬剤の量は、段の高さと、下部チャンバ２０の内径との関数である。これらの２つのパラメータを調節することによって、一つの段に沿ったプランジャの移動の結果としての物質供給量が、正確にコントロールされ、また、その物質供給量は、注射器の下部チャンバの内部断面積と、プランジャの直線移動距離との積に等しい。例えば、注射器の下部チャンバの内径が６ｍｍで、プランジャの１段の移動が、注射器に収容される物質の１００マイクロリットルの供給を生じさせることが望まれる場合、段の高さは約３．５４ｍｍに設定されるであろう。下部チャンバに収容される物質が有効成分（ａｃｔｉｖｅ  ｉｎｇｒｅｄｉｅｎｔ）とキャリアとを含んでいる場合、供給される有効成分の量は、キャリア内における有効成分の濃度の関数であってもよい。ユーザに、所望量の物質を供給するのに必要な段数のプランジャの移動を教えることにより、より多量の供給を達成することができる。上述の例において、２段の移動は、２００マイクロリットルの供給をもたらすであろう。
【００４０】
注射器タイプのディスペンサの下部チャンバを密閉シールするためのストッパ
図８〜図１０において、本発明を具現化する他の注射器タイプが、参照符号１１０によって全体的に示される。注射器１１０の要素の多くは、図１ａ〜７ｃに関連して既述された注射器１０のそれと同様であり、したがって、数字「１」に続く同様な参照符号が同様な要素を示すために用いられる。注射器１０との比較において注射器１１０の主な違いは、注射器１１０が、プランジャ１１４の基部に可融性のストッパ１６０を含み、これによって注射器１１０の下部１２０内の穴を密閉すると共に、注射器に収容される薬剤又は他の物質への空気又は汚染物質の進入を防止する点にある。
【００４１】
図８及び図９に示されるように、可融性ストッパ１６０は、プランジャ１１４の端部に形成され、弾性ベース１６２を含む。弾性ベース１６２は、硫化ゴムで作られるか又は、当業者に知られており、注射器内に収容される物質に接触又は暴露されるストッパの製造において使用可能な他の材料で作られる。可融性ストッパ１６０のベース１６２の下部１６４は、注射器本体１１２の下部１２０の内壁にスライド可能に且つ摩擦的に係合するよう形作られ寸法が定められた外周シール面１６６を区画する。可融性ストッパのベース１６２は、さらに、ベース１６２の下部１６４から延出する外周壁１６８を区画する。外周壁１６８は、シール面１６６の外径及び注射器本体の内径１１２より僅かに小さい外径を有し、プランジャの本体内での移動時に、可融性ストッパと注射器本体との間の摩擦を減少する。
【００４２】
外周壁１６８の上端において、注射器本体１１２の下部１２０内に摩擦的に受け入れられるための寸法を有した環状の隆起部又は突起１７０が、プランジャアッセンブリ１１４をさらにシールすると共に、注射器に収容される薬剤又は他の物質への空気の接触を防止する。外周壁１６８の頂端において、くさび形の可撓性環状フラップ１７２が存在する。フラップ１７２は、可撓性を持ち、且つ注射器本体１１２の内面と接触して環状の一方向弁を形成するような形状及び寸法とされる。プランジャがその完全引込位置にあるとき、可撓性フラップ１７２の先端１７４が注射器本体１１２の内面と接触する。図９に示されるように、本発明の実施形態において、プランジャが図示される引込位置にあるとき、可撓性フラップ１７２のある領域での注射器本体１１２の内径は、可融性ストッパ１６０のベース１６４のある位置における注射器の内径よりわずかに大きくてもよい。プランジャが注射器本体１１２内へ前進されると、注射器本体１１２の本体の内径はわずかに減少し、その結果可撓性フラップ１７２を注射器本体にさらに接触させ、注射器の下部を空気の進入から封止する。
【００４３】
図９及び図１０に示されるように、注射器本体１１２の下部１２０の内壁は、注射器の軸周りに互いに間隔を隔てられた、複数の軸方向に延出する溝１７６が設けられる。溝１７６は、下部１２０の内壁に形成されると共に、完全引込位置にあるとき、可融性ストッパ１６０のベース１６２の下方から、環状突起１７０を越えて上方に、軸方向に延出する。後述されるように、溝１７６は、注射器に薬剤又は他の物質が充填されるとき、注射器内に含まれる空気の排出を可能にする。
【００４４】
再封止可能な部材１７８が、外周壁１６８によって区画される、ベース１６０の上部空所１７９内に収容される。再封止可能な部材１７８は、ベース１６０の外周壁１６８に形成された上部空所１７９内に受け入れられ、プランジャの駆動部１４２の端部によって定位置に固定される。可融性ストッパの外周壁１６８の内面には、環状溝１８０が形成される。環状のフランジ１８１が、プランジャ１１４の駆動部１４２の端部に形成されると共に、外周壁１６８の内面の環状溝１８０を埋める大きさ及び形状とされる。従って、環状のフランジ１８１は、押し込まれるか、嵌め込まれるか、又は他の方法で環状溝１８０内に受け入れられ、可融性ストッパ１６０を駆動部１４２に固定する。第２の環状フランジ１８２は、第１の環状フランジ１８１に対し軸方向に離間され、ベース１６２及び再封止可能なストッパ１６０を捕獲し、駆動部１４２に保持する。共同に譲渡された２００１年２月１２日出願の米国特許出願第０９／７８１，８４６号「加熱封止可能なキャップを有する薬用ガラス瓶、及びガラス瓶を満たすための装置及び方法」（この出願は本願の開示の一部として参照により本願に組み込まれる）に述べられているように、図８及び図９に示される本発明の実施形態において、駆動部１４２は、中空管の形態をなし、チャンバ１２０を満たすための注入針の挿入を許容すると共に、充填後の針穴の再封止を許容する。
【００４５】
再封止可能な部材１７８は、好ましくは、例えば登録商標ＫＲＡＴＯＮＯでシェル石油社によって販売されている高分子材料の混合物などの弾性高分子材料、及び、商標ＥＮＧＡＧＥＴＭ又はＥＸＡＣＴでダウケミカル社によって販売されているポリエチレンなどの低密度ポリエチレンで作られる。しかしながら、当業者に知られる他のいかなる適当な材料を使用してもよい。再封止可能な部材１７８の重要な特徴は、再封止可能な部材を通して針又は同様の注入部材を挿入した後、再封止可能な部材が再封止されて気密シールを形成する点にある。好ましくは、再封止可能な部材１７８は、例えば前述の同時係属中の特許出願に記載された方法のように、針によって明けられた領域を当業者に知られている方法で加熱することによりシールされることができる。
【００４６】
注射器の下部１２０を所望の物質で満たすため、皮下注射針、ダブルルーメン針又は他のタイプの注入部材が、再封止可能な部材１７８と、可融性ストッパ１６０の弾性ベース１６２とを挿通され、これにより注射器の下部１２０内に所望の物質が供給される。薬剤が注射器の下部に注入されると、下部内の空気は物質によって置き換えられ、強制排除される。空気は、注射器本体１１２の内壁に形成された複数の溝１７６を通じて漏出する。外周壁１６８の頂部において、漏出空気の力は、一方向弁の可撓性フラップ１７２を注射器本体の内壁から離間させ、空気が注射器本体の外部に排出されることを可能にする。注射器が薬剤又は他の物質で満たされているとき、可撓性フラップ１７２は、注射器本体１１２に接するその通常位置に復元し、これによって密閉シールを形成し、空気が注射器内に進入してその中の薬剤又は他の物質と接触するのを防止する。プランジャが注射器の下部１２０に挿入されると、溝１４０は終了し、下部は、再封止可能なストッパ１６０の外周シール面１６６と環状突起１７０とによってさらにシールされる。
【００４７】
注射器１１０が薬剤又は他の物質で満たされた後、再封止可能な部材１７８は、針又は他の注入部材によって形成された穴を融合すべく加熱される。本発明の現在好ましい実施形態において、注入前の再封止可能な部材の表面を殺菌し、注入後に残る穴をシールするため、レーザ（図示せず）又は他の放射線源が用いられる。好ましくは、注射器は、無菌注入機の中で、及び、上記参照によって組み込まれた同時係属中の特許出願で開示された方法に従って、満たされる。レーザは、可融性ストッパの中の再封止可能な部材に十分なエネルギが与えられるのを許容すると共に、注射器内の薬剤又は他の物質の加熱を防止する。当業者に現在知られており又は将来知られることになる、再封止可能な部材を加熱する他の方法が、注射器及び／又は他の要素に収容される物質の熱感度に応じて使用されてもよい。注射器が薬剤又は他の物質で満たされた後シールされるので、注射器は、空気の進入により腐敗することなく、及びそのような腐敗を防止するための保存剤を追加することなく、より長期間保存されることができる。
【００４８】
本発明のある実施形態において、再封止可能なストッパの少なくとも一部は、針貫通部を区画する熱可塑性材料から形成される。針貫通部は、針によって貫通可能でそれを通じた針穴を形成すると共に、所定の波長及び強度のレーザ光線を与えることにより、針穴を密閉的にシールすべく加熱再封止可能である。本発明の変形例において、ストッパの全体が熱可塑性材料から形成される。上述されたような本発明の他の実施形態において、ストッパの積層部分（可融性の熱可塑性材料から形成されるとして）、及びストッパの基層部分は、硫化ゴムのような不溶解性（注入可能な；ｉｎｆｕｓｉｂｌｅ）材料から形成される。好ましくは、それぞれの熱可塑性部分又は本体は、（ｉ）その軸方向における所定の壁厚さ、（ｉｉ）所定波長のレーザ光線を実質的に吸収し、レーザ光線のその所定壁厚さの通過を実質的に防ぐ、所定の色及び不透明度、及び（ｉｉｉ）針貫通部を実質的に焼くことなく（即ち、材料の分子構造又は化学特性に不可逆変化を生じさせることなく）、所定の波長及び強度のレーザ光線で、針貫通部に形成された針穴を、所定時間内に密閉シールするような、所定の色及び不透明度、を有する
一実施形態において、所定時間は約２秒であり、好ましくは約１．５秒以下であり、最も好ましくは約１秒以下である。さらに、この実施形態において、レーザ光線の所定波長は約９８０ｎｍであり、各レーザの所定強度は好ましくは約３０ワット未満であり、最も好ましくは約１０ワット以下、又は約８ワットから約１０ワットの範囲内である。さらに、この実施形態おいて、材料の所定の色はグレーであり、所定の不透明度は、約０．３から約０．６までの重量％の範囲内の量で、ストッパ材料に加えられたダークグレー着色料によって定義される。
【００４９】
さらに、熱可塑性材料は、第１材料と第２材料との混合物からなってもよい。第１材料は、好ましくは、例えば商標ＫＲＡＴＯＮや商標ＤＹＮＡＦＬＥＸで販売されている材料のような、スチレン系共重合体である。第２材料は、好ましくは、商標ＥＮＧＡＧＥや商標ＥＸＡＣＴで販売されている材料のような、オレフィンである。本発明の一実施形態において、第１材料と第２材料とは、重量比で約５０：５０から約９５：５の範囲内で混合される（第１材料：第２材料）。そのような一つの典型例において、第１材料と第２材料との混合比は重量比で約５０：５０である。第１材料自体に関するこのような混合の利点は、防水防湿特性の向上ひいては製品陳列期間の向上；遮熱性の向上；摩擦係数の減少；成形性又は成形時の流れ速度の向上；及びヒステリシスロスの減少である。しかしながら、ここでの教示に基づき当業者によって理解されるように、これらの数及び材料は単なる例示で、もし特定のシステムにおいて望まれ、又は要求されれば、変更されることができる。
【００５０】
プランジャの移動をコントロールするためのネジ付き注射器タイプディスペンサ
図１１〜図１７に、本発明を具現化する他の注射器タイプのディスペンサが、参照符号２１０によって全体的に示される。注射器２１０の要素の多くは、前述の注射器１０及び１１０のそれと同様であり、したがって、数字「２」に続く、又は数字「１」の代わりの数字「２」に続く、同様な参照符号が同様な要素を示すために用いられる。注射器１０及び１１０との比較における注射器２１０の主な違いは、注射器２１０が、注射器内でのプランジャの移動をコントロールするための手段としての、ネジ付プランジャと、部分ネジ付上部注射器部分とを含む点である。
【００５１】
図１１〜図１４に示されるように、注射器２１０は注射器本体２１２、注射器本体内に嵌合するプランジャ２１４、及び一方向弁を備えた供給端２１６を含む。図１１及び図１２に示されるように、注射器の本体２１２は上部２１８及び下部２２０を有する。上部２１８の外面は四角い形状とされ、これにより、注射器が容易につかまれ、後述されるように、プランジャを回転させるときの本体壁の側方移動が許容される。しかしながら、本発明はこの点に関して限定されず、本体の上部の外面は任意の形状であってよい。注射器の下部２２０は概して円筒状である。図１３及び図１４に示されるように、上部２１８はテーパ部２２２によって下部２２０に接続される。上部２１８の外側端において、フランジ２１９又は他の把持手段のような、注射器をつかむための手段が設けられることができる。
【００５２】
図１１及び図１５を参照して、注射器２１０の上部２１８の内壁は複数の部分ネジ２２１を含む。図１５に示されるように、それぞれの部分ネジ２２１は、全体にネジが設けられた内側シリンダのネジ径を代表する円弧によってほぼ定義される。部分ネジ２２１は、互いに等間隔に離間され、それぞれの部分ネジ２２１は同じ内側及び外側のネジ径を有する。図１１及び図１５に示される好適実施形態において、それぞれの部分ネジは、全体にネジが設けられた内側シリンダの円周の約１／８を占める。しかしながら、本発明はこの点に関して限定されず、それぞれの部分ネジは、ここでの教示に従い、全体にネジが設けられた内側シリンダの円周全体の任意の部分を占めることができる。さらに、後述するように、プランジャに螺合するための少なくとも二つの対向する部分ネジ部があれば、あらゆる数の部分ネジが用いられることができる。
【００５３】
図１１及び図１５に示されるように、注射器の上部２１８の部分ネジ２２１の間に、複数のネジ無し部２２３が位置される。ネジ無し部２２３は、部分ネジ２２１の外側のネジ径より大きな直径（又は側方或いは半径方向の範囲）を有し、好ましくは、後述されるように、プランジャ２１４の最大ネジ径より大きな直径（又は側方或いは半径方向の範囲）を有する。図１１及び図１５に示される実施形態において、注射器２１０の上部２１８は、四角い形状を有し、部分ネジ２２１は、注射器の上部２１８の四つの内面のそれぞれの中央に位置され、ネジ無し部２２３は、概して四角形状の本体部分のコーナー部に位置される。ここでの教示に基づき当業者に理解されるように、注射器２１０の上部２１８の内面は、もし内面の部分ネジが所望の直径の円弧を区画するのであれば、いかなる形状を有していてもよい。
【００５４】
図１２〜図１４を参照して、注射器本体２１２の下部２２０の内壁２３８は、滑らかな円筒状の穴を区画すると共に、下部２２０の軸方向長さに亘ってほぼ一定の内径を有する。注射器の下部２２０は、供給されるべき物質を収容するために使用されると共に、後述するプランジャの先端に摩擦係合する寸法とされる。下部２２０の内径は、好ましくは一定であり、これによって、プランジャ２１４の所定距離の移動に対し、特定量の薬剤又は他の物質が注射器から供給されることが保証される。
【００５５】
注射器本体の下部の端部に、参照符号２１６によって全体的に示される供給端が設けられ、これによって、プランジャ２１４が下部に挿入されるとき、注射器の下部２２０に収容されている物質が注射器から流出することが可能になる。現在好ましい実施形態において、供給端２１６は、環状のＵ形溝２３０を区画するフランジ２２８を含む。供給端２１６は伸長された中心軸又はポスト２３２を含む。複数の円筒状開口２５６がそれぞれ注射器の下部２２０内のチャンバに連通し、注射器に収容される物質を供給するための通路を提供する。
【００５６】
空気又は他の汚染物質が供給端を通じて注射器内の物質に入るのを防止するため、注射器は、好ましくは、注射器の供給端に一方向弁機構を含む。図１２及び図１３を参照して、一方向弁は、注射器本体の供給端２１６に可撓性カバー２５４を取り付けることにより形成される。可撓性カバーは、好ましくはエラストマー材料で作られる。可撓性カバーの内面は、供給端２１６のフランジ２２８に被さると共に供給端の周りに延出する環状Ｕ溝２３０内に一体的に嵌合するような形状とされる。可撓性カバー２５４は、供給端の中心軸２３２に対し締まり嵌めをなす。可撓性カバー２５４は、注射器本体２１２の下部２２０の外面から、供給端２１６の中心軸２３２のほぼ先端まで延出する。
【００５７】
図１３及び図１４に最も良く示されるように、中心軸２３２の基部において、複数の円筒状開口２５６が供給端を貫通する。円筒状開口２５６は、注射器の下部２２０内の穴に連通すると共に、プランジャ２１４が注射器の下部２２０内へ前進されるとき、下部２２０内の穴の中の物質が流れる通路を提供する。可撓性カバー２５４と中心軸２３２との間の締まり嵌めは、常閉弁を形成し、注射器に収容される物質の服用量が供給されるまで円筒状開口２５６を密閉シールする。中心軸２３２と接触する可撓性カバー２５４の部分は、中心軸の基部付近で厚さが大きく、中心軸の先端付近に向かって厚さが徐々に小さくなるテーパ状とされてもよい。
【００５８】
本発明の変形例において、一方向弁は省略されてもよい。中心軸２３２は、中心円筒状通路を設けられてもよい。この通路は、注射器の下部２２０内の穴に連通し、注射器に収容される物質を供給するための通路を提供する。本発明の他の実施形態において、当業者に知られる他の適当な供給端機構が注射器本体に固定して取り付けられることができる。例えば、商標ＬＵＥＲ−ＬＯＫで販売されている従来の接続装置が、使い捨てニードルの取付けを可能にするため注射器の供給端に使用されることができる。他のニードル接続手段、例えばネジ具、エラストマー製プラグ、又は嵌合されるエンドキャップが、注射器の先端にニードルを取り付けるために同様に使用されることができる。注射器本体の下部が、選択されたニードル接続手段を取り付けるために、必要に応じて形作られ、又はネジを設けられることができる。注射器の供給端を密閉シールするためのキャップ又は他の手段（図示せず）が、注射器内の薬剤又は他の物質を供給すべくニードルが注射器に接続される時まで、使用されることができる。
【００５９】
ここで図１１及び図１６を参照して、プランジャ２１４は、先端２４０、下部駆動部２４２及び上部ガイド部２４４を備える。先端２４０の前面２４６は、使用時に、注射器の下部２２０の穴の中の薬剤又は他の物質と接触する。先端２４０は、注射器本体の下部２２０の穴の中に摩擦的に嵌合するような形状及びサイズとされ、また、先端２４０が下部２２０に挿入されるとき、薬剤又は他の物質が先端２４０と注射器の下部２２０の内面との間から漏出しないような形状及びサイズとされる。先端２４０は、当業者に現在知られており又は将来知られることになる材料であって、注射器に収容される薬剤又は他の物質と反応しないあらゆる適当な材料から作られることができる。もし望まれれば、既に詳述した可融性ストッパのような可融性ストッパが、下部の穴を密閉シールするためプランジャに固定して取り付けられることができる。
【００６０】
プランジャ２１４の駆動部２４２は、注射器本体の下部２２０内に摺動嵌合するような形状及び寸法とされる。駆動部２４２の外径は、好ましくは、注射器本体の下部２２０の内径より少なくとも僅かに小さく、これによりプランジャの注射器本体内での移動により生じる摩擦力が減少される。駆動部２４２は、プランジャがその完全挿入位置にあるとき注射器本体の下部２２０の穴に完全に挿入されるのに十分な長さを有するべきである。
【００６１】
図１１，図１２及び図１６を参照して、プランジャの上部ガイド部２４４はネジ部２４５を有し、ネジ部２４５のネジピッチは、注射器の上部２１８の内壁の部分ネジ２２１のピッチに適合するものとされる。図１７に示されるように、注射器本体及びプランジャが成型可能なプラスチックで作られている本発明の好適実施形態において、ネジピッチＰは約０．８ｍｍ、ネジ角度は約９０°である。注射器本体及びプランジャが成型プラスチックで作られる場合、約９０°のネジ角度は、成形部品の型からの取り外しを容易にする。
【００６２】
図１５に示されるように、上部ガイド構造のネジ２４５は変化するネジ径を有する。上部ガイド構造のネジは、概して８つのセクションに分割される。８つのセクションのうちの４つにおいて（参照符号２４７により全体が示される）、ネジは、注射器の上部２１８の内壁の部分ネジ２２１のネジ径及びピッチにほぼ等しく且つ適合するネジ径及びピッチを有する。これらの４つのセクションはそれぞれ、プランジャの上部ガイド部の外周の約１／８を占め、互いに等しく離間される。
【００６３】
プランジャのネジの残り４つのセクションにおいて（参照符号２４９により全体が示される）、それぞれのネジのセクションは、ネジ径によって区画される二つの領域を有する。全体が参照符号２５１によって示される第１の領域において、プランジャネジは、徐々に増加するネジ径を有し、これは、注射器の上部２１８の部分ネジのネジ径と等しいネジ径から始まり、プランジャのネジ径が最初にその最大径に達する位置で終了する。第２の領域２５３において、プランジャネジは、注射器の上部２１８の部分ネジ２２１の直径より大きい一定の直径を有する。ネジ径が変化する４つのセクションの各々は、プランジャの上部ガイド部の外周の約１／８を占める。使用時にユーザがプランジャをつかむための手段を提供するため、取っ手又は他の把持部分２５２が、プランジャ２１４の上端に形成される。
【００６４】
プランジャの上部ガイド部のネジ２４７，２４９は、注射器本体の上部２１８の内壁に形成された部分ネジ２２１と協働し、プランジャの注射器内への段階的な移動の量をコントロールするための手段を提供する。図１３に示されるように、供給されるべき物質が注射器に満たされた後、プランジャは、プランジャの先端２４０が注射器本体の下部２２０内のチャンバに収容される薬剤又は他の物質と接触し、且つネジ２４７が、注射器の上部２１８における部分ネジ２２１と完全に係合するような位置に位置される。プランジャ２１４は、注射器本体の部分ネジ２２１が上部ガイド部２４４のネジ２４７の４つのセクションのみによって係合するような位置に位置される。この４つのセクションは、上部ガイド部における部分ネジ２２１のネジ径と等しいネジ径を有する。図１５に示されるように、この位置において、プランジャの上部ガイド部２４４の最大径ネジ２４９は、部分ネジ２２１の間にある注射器本体の上部２１８のネジ無し部２２３に位置される。
【００６５】
注射器から計量された量の物質を供給するため、図１５に矢示されるように、プランジャ２１４は時計回りに回転され、プランジャの注射器本体内への移動を生じさせる。プランジャ２１４が回転されると、注射器の上部２１８の部分ネジ２２１が、次第に、プランジャ２１４の上部ガイド部２４４のより大径のネジ２５１，２５３に係合されていく。プランジャが時計回りに回転されるにつれプランジャ２１４のネジ径が次第に増加するので、注射器本体２１２の上部２１８が強制的に膨張され、プランジャに、これを回転させるような、徐々に増加する力が作用される。
【００６６】
図１１〜図１７に示される実施形態において、プランジャ２１４が１／４回転の回転を終えると、プランジャの上部ガイド部２４４の最大径ネジ２５３が、注射器本体の上部２１８の部分ネジ２２１から外れ、プランジャの上部ガイド部２４４のより小径のネジ２４７が、注射器本体の部分ネジ２２１に完全に係合する。注射器本体の上部２１８は、その本来の大きさに急速に復元する。そしてプランジャは、プランジャのより大径のネジを注射器本体の部分ネジに係合させ且つこれを通過させるのに十分な力がプランジャに与えられるまで、定位置にロックされる。また、プランジャは反対方向（即ち反時計回り）には回転できない。なぜなら、それぞれの大径ネジ部２５３の後端縁が、本体の各ネジ部２２１の隣接端縁に係合し、そのような移動を妨げるからである。
【００６７】
注射器本体の部分ネジのピッチと、プランジャにおける相手側ネジのピッチとをコントロールすることにより、プランジャの１／４回転毎に供給される薬剤又は他の物質の量が、正確にコントロールされることができる。例えば、好適実施形態において、注射器の下部チャンバ２２０は約６．１８ｍｍの内径を有し、ネジ部は約０．８ｍｍのネジピッチを有する。プランジャの１／４回転は、プランジャに、注射器の下部から約６マイクロリットルの量を排出させる。従って、プランジャが１／４回転されると、注射器に収容される物質の約６マイクロリットルが供給端を通じて供給される。プランジャの１／４回転の数を増加することにより、より多量の物質が供給されることができる。即ち、例えば、１／２回転は１２マイクロリットルを供給し、３／４回転は１８マイクロリットルを供給し、１回転は２４マイクロリットルを供給する。
【００６８】
エラストマー製外側本体を備えた注射器タイプディスペンサ
図１８〜図２１において、本発明を具現化する他の注射器タイプのディスペンサが、参照符号３１０によって全体的に示される。注射器３１０の要素の多くは、前述の注射器１０、１１０及び２１０のそれと同様であり、したがって、数字「３」に続く、又は数字「１」もしくは「２」の代わりの数字「３」に続く、同様な参照符号が同様な要素を示すために用いられる。注射器１０、１１０及び２１０との比較における注射器３１０の主な違いは、注射器３１０が、プランジャの移動をコントロールするための手段としての、ネジ付プランジャ及び、上部注射器部分におけるネジ要素を含む点と、注射器３１０がエラストマー製アウターカバーを含む点とである。
【００６９】
図１８〜図１９に示されるように、注射器３１０は注射器本体３１２、注射器本体内に嵌合するプランジャ３１４、及び供給端３１６を含む。注射器本体３１２は、内側部分３１１と、内側部分３１１の外表面を包むエラストマー製アウターカバー３１５とを含む。内側部分３１１は、好ましくは成型プラスチックから作られる。注射器本体３１２の内側部分３１１は、上部３１８と下部３２０とを含み、上部は下部より大きな直径を有する。上部３１８は、テーパ部３２２によって下部３２０に接続される。しかしながら、本発明はこの点に関して限定されず、上部及び下部は任意の形状及び寸法とされることができる。上部及び下部の直径が同じである場合、テーパ部は除去されてもよい。
【００７０】
図２０及び図２１に示されるように、上部３１８の内壁及び下部３２０は、円筒状の穴を区画する。注射器の上部３１８は、注射器本体３１２のテーパ部３２２から注射器の頂部まで延出する、複数の、軸方向に伸長されたネジ要素３１７を含む。それぞれのネジ要素３１７は、概して、全体にネジが設けられた内側シリンダのネジ径を代表する円弧によって区画される。ネジ要素３１７の両側面は、上部３１８に、軸方向に伸長された複数の溝３１９を区画する。溝３１９は、テーパ部３２２から注射器の頂部まで同様に延出する。溝３１９の深さは、注射器本体３１２の全厚に及ぶものであってもよいし、注射器本体の部分厚さに及ぶものであってもよい。
【００７１】
図１８及び図１９を再び参照して、注射器本体３１２の下部３２０の内壁３３８は、滑らかな円筒状の穴を区画すると共に、下部３２０の全長に亘ってほぼ一定の内径を有する。注射器の下部３２０は、後述するように、供給されるべき物質を収容するために用いられると共に、プランジャの基部と摩擦的に係合するような寸法とされる。下部３２０の内径は、好ましくは一定であり、これによって、プランジャ３１４の所定距離の移動に対し、特定量の薬剤又は他の物質が注射器から供給されることが保証される。
【００７２】
注射器本体の下部の端部に、参照符号３１６によって全体的に示された供給端が設けられ、これによって、プランジャ３１４が下部に挿入されるとき、注射器の下部３２０に収容されている物質が注射器から流出することが可能になる。図１８に示される好適実施形態において、供給端３１６は、環状のＵ形溝（図示せず）を区画するフランジ３２８を含む。このＵ形溝は、前述された注射器１０のＵ形溝と同様である。供給端３１６は、伸長された中心軸又はポスト３３２を含む。
【００７３】
空気又は他の汚染物質が供給端を通じて注射器内の物質に入るのを防止するため、注射器は、好ましくは、注射器の供給端に一方向弁機構を含む。一方向弁は、注射器本体の供給端３１６に可撓性カバー（図示せず）を取り付けることにより形成される。可撓性カバーは、好ましくはエラストマー材料で作られる。可撓性カバーの内面は、供給端３１６のフランジ３２８に被さり、且つ供給端の周りに延出する環状Ｕ溝内に一体的に嵌合するような形状とされる。可撓性カバーは、供給端の中心軸３３２に対し締まり嵌めをなす。可撓性カバーは、注射器本体３１２の下部３２０の外面から、供給端３１６の中心軸３３２のほぼ先端まで延出する。
【００７４】
中心軸３３２の基部において、複数の円筒状開口３５６が供給端を貫通する。円筒状開口３５６は、注射器の下部３２０内の穴に連通すると共に、プランジャ３１４が注射器の下部３２０内へ前進されるとき、下部３２０内の穴の中の物質が流れる通路を提供する。可撓性カバーと中心軸３３２との間の締まり嵌めは、常閉弁を形成し、注射器に収容される物質の服用量が供給される時まで円筒状開口３５６を密閉シールする。中心軸３３２と接触する可撓性カバーの部分は、中心軸の基部付近で厚さが大きく、中心軸の先端付近に向かって厚さが徐々に小さくなるテーパ状とされてもよい。
【００７５】
本発明の変形例において、一方向弁は省略されてもよい。中心軸３３２は、中心円筒状通路を設けられてもよい。この通路は、注射器の下部３２０内の穴に連通し、注射器に収容される物質を供給するための通路を提供する。本発明の他の実施形態において、当業者に現在知られており又は将来知られることになる他の適当な供給端機構が注射器本体に固定して取り付けられることができる。例えば、商標ＬＵＥＲ−ＬＯＫで販売されている従来の接続装置が、使い捨てニードルの取付けを可能にするため注射器の供給端に使用されることができる。他のニードル接続手段、例えばネジ具、エラストマー製プラグ、又は嵌合されるエンドキャップが、注射器の先端にニードルを取り付けるために同様に使用されることができる。注射器本体の下部が、選択されたニードル接続手段を取り付けるために、必要に応じて形作られ、又はネジを設けられることができる。注射器の供給端を密閉シールするためのキャップ又は他の手段（図示せず）が、注射器内の薬剤又は他の物質を供給すべくニードルが注射器に接続される時まで、使用されることができる。
【００７６】
エラストマー製アウターカバー３１５は可撓性材料からなる。この可撓性材料は、カバーの内壁に力を加えることにより膨張（拡張）可能であると共に、その力が除去されたときに実質的にその本来の形状に復元することができる。エラストマー製アウターカバーは、好ましくは、内側の注射器本体の周囲にエラストマー材料を一体成形することにより形成される。エラストマー製アウターカバーは、任意の厚さを有し、容易な使用を可能にする特徴、例えば、図１８に示されるアウターカバーにおける把持用のくぼみ３０７など、を含むことができる。
【００７７】
図１８〜図２０を参照して、プランジャ３２０は、基部３４０、下部駆動部３４２及び上部ガイド部３４４を備える。基部３４０の前面３４６は、使用時に、注射器の下部３２０の穴の中の薬剤又は他の物質と接触する。基部３４０は、注射器本体の下部３２０の穴の中に摩擦的に嵌合するような形状及びサイズとされ、また、基部３４０が下部３２０に挿入されるとき、薬剤又は他の物質が基部と注射器の下部３２０の内面との間から漏出しないような形状及びサイズとされる。基部３４０は、当業者に知られる材料であって、注射器に収容される薬剤又は他の物質と反応しないあらゆる適当な材料から作られることができる。もし望まれれば、図１８に示されるように、既に詳述した可融性ストッパのような可融性ストッパが、下部の穴を密閉シールするためプランジャに固定して取り付けられることができる。
【００７８】
プランジャ３１４の駆動部３４２は、注射器本体の下部３２０内に摺動嵌合するような形状及び寸法とされる。駆動部３４２の外径は、好ましくは、注射器本体の下部３２０の内径より少なくとも僅かに小さく、これによりプランジャの注射器本体内での移動により生じる摩擦力が減少される。駆動部３４２は、プランジャがその完全挿入位置にあるとき注射器本体の下部３２０の穴に完全に挿入されるのに十分な長さを有するべきである。
【００７９】
図１９に示されるように、プランジャ３１４の上部ガイド部３４４は複数のネジ部３４５を有し、ネジ部３４５のネジピッチは、注射器の上部３１８の内壁のネジ要素３１７のピッチに適合するものとされる。注射器本体及びプランジャが成型可能なプラスチックで作られている本発明の好適実施形態において、ネジピッチＰは約０．８ｍｍ、ネジ角度は約９０°である。注射器本体及びプランジャが成型プラスチックで作られる場合、約９０°のネジ角度は、成形部品の型からの取り外しを容易にする。
【００８０】
図２０に示されるように、プランジャ３１４の上部ガイド部３４４のそれぞれのネジ部３４５は、変化するネジ径を有する。プランジャのそれぞれのネジ部は、第１の領域、第２の領域及び第３の領域を有する。第１の領域において、ネジ径は、ネジ要素３１７のネジ径とほぼ等しく且つネジ要素３１７のネジ径と適合する。第２の領域において、プランジャネジは、徐々に増加するネジ径を有する。第３の領域において、プランジャネジは、注射器の上部３１８のネジ要素３１７の直径より大きい一定のネジ径を有する。プランジャのネジの第２の領域と第３の領域とは、互いに、注射器の上部３１８のネジ要素３１７間の溝３１９によって占められる領域に等しい領域に亘りほぼ延出され、これにより、第２及び第３のネジ領域が溝内に受け入れられることが可能になる。図２０に示されるように、このことは、プランジャ３１４の上部ガイド部３４４に、複数の歯状（爪状；ｔｉｎｅ−ｌｉｋｅ）ネジ部材を用いることにより達成されることができる。歯状ネジ部材３２１は、注射器の上部３１８のネジ要素３１７間の溝３１９に係合するような寸法とされる。使用時にユーザがプランジャをつかむための手段を提供するため、取っ手又は他の把持部分３５２が、プランジャ３１４の上端に形成される。
【００８１】
注射器から計量された量の物質を供給するため、プランジャ３１４は所定の回転方向、通常は時計回り、に回転され、プランジャの注射器本体内への移動を生じさせる。プランジャ３１４が回転されると、注射器の上部３１８のネジ要素３１７が、それぞれ次第に、プランジャ３１４の上部ガイド部３４４の第２及び第３ネジ領域のより大径のネジに係合されていく。プランジャが時計回りに回転されるにつれプランジャのネジ径が次第に増加するので、注射器の上部３１８及びエラストマー製アウターカバー３１１が膨張し、プランジャに、これを回転させるような、徐々に増加する力が作用される。上部ガイド構造３４４の大径ネジが、回転により上部３１８のネジ要素３１７を通過し、ネジ要素間の溝３１９に入り込むと、注射器の上部及びエラストマー製アウターカバーは急速にそれらの本来の直径に戻る。
【００８２】
前述したように、プランジャの回転毎にプランジャアッセンブリが下部チャンバ内に所望の距離移動するよう、ネジピッチとネジ部間の距離とを設定することにより、供給される物質の量を正確にコントロールすることができる。１回量に対応したプランジャ回転の数を増加させることにより供給量を増加できる。
【００８３】
供給端を通じた物質の漏れ残りを防止するための手段を備える注射器タイプディスペンサ
図２２〜図３０に、本発明を他の実施形態の注射器タイプのディスペンサが、参照符号４１０によって全体的に示される。注射器４１０は、図１〜図２１を参照して説明されたそれぞれの注射器タイプのディスペンサと多くの点で同一又は類似であり、したがって、数字「４」に続く、又は数字「１」〜「３」に代わる数字「４」に続く、同様な参照符号が同様な要素を示すために用いられる。
【００８４】
注射器４１０は、これが供給端４１６に異なる一方向弁を含む点と、密閉チャンバ４２０内に収容される物質の供給端を通じた漏れ残りを防ぐための手段を含む点とで、前述の注射器と異なる。図２２及び図２３に示されるように、注射器本体４１２の供給端４１６は二つの流れ開口部４５６を有する。これら流れ開口部４５６は、供給端の径方向の互いに反対側に位置されると共に、供給端の軸に対してほぼ垂直に向けられる。バルブカバー４５４は、前述の弁と同様の方法で、供給端の中心ポスト４３２によって区画されるバルブシートと締まり嵌めをなす。さらに、前述の一方向弁同様、バルブカバー４５４は、その内部端から外部端まで、軸方向に徐々に減少する壁厚を有し、プランジャの移動時におけるバルブの開閉を容易にする。全ての他の要素が等しいとして、図２２及び図２３の一方向弁は、典型的に、図１〜図２１に関連して前述された弁より高い開弁圧を必要とする。前に説明され図示されたバルブ、例えば図１３及び図１４に図示されたバルブにおいて、流れ開口部２５６は、供給端のほぼ軸方向に延出し、それゆえ物質が供給端から軸方向に流出する。他方、図２２及び図２３の側方に延出する流れ開口部４５６は、物質が約９０°曲がって流通することを要求し、よって、物質にバルブを通過させるのに、より高い開弁圧（全ての他の要素が等しいとして）を要求する。
【００８５】
注射器４１０は、さらに、プランジャの注射器本体内での段階的移動を行わせ、所定量の物質を注射器本体のチャンバから供給するための手段を含む。図示される実施形態において、段階的移動を実行させるための手段は、注射器本体の上部４１８の内壁に形成された複数の独立ネジ部（ｄｉｓｃｒｅｔｅ  ｔｈｒｅａｄ  ｐｏｒｔｉｏｎｓ）４２１と、プランジャの上部ガイド部４４４に形成された複数の対応するネジ部とを含む。後に詳述されるように、また前述の本発明の実施形態と同様のやり方で、注射器本体の独立ネジ部とプランジャとは、「クリックアクション」タイプの作動機構を提供すべく協働する。これは、プランジャの注射器本体内での増加的（ｉｎｃｒｅｍｅｎｔａｌ）又は段階的移動を可能とし、さらにプランジャの移動時に、各増加的又は段階的移動を通じて、「クリック」（これはユーザに音及び／又は感覚によって認識されるかもしれない）を好適に提供可能とする。さらに、本発明のこの実施形態によれば、独立ネジ部はさらに、プランジャのそれぞれ別個の増加的又は段階的移動の終了時において、チャンバ４２０内に収容される物質が、供給端４１６の一方向弁を通過して漏れ残るのを防ぐための手段を提供する。
【００８６】
図２４に典型的に示されるように、注射器本体４１２の上部ガイド部４１８は、注射器本体の軸周りに約９０°間隔で互いに等しく離間された四つの独立ネジ部４２１を区画する。見られるように、それぞれのネジ部４２１は、上部ガイド部４１８のほぼ全ての軸方向範囲に沿って延出する。ネジ部４２１は、図１１に関して前述されたネジ部２２１と実質的に同じである。したがって、それぞれのネジ部４２１は、他のネジ部４２１と同じネジ径及びピッチを区画する。さらに、上部ガイド部４１８のコーナー４２３は、隣接したネジ部４２１の間に位置する側方に延出する空所を区画する。
【００８７】
図２５に典型的に示されるように、プランジャ４１４の上部ガイド部４４４は、上部ガイド部の径方向の互いに反対側に位置された複数対の第１の独立ネジ部４８４，４８４と、上部ガイド部の径方向の互いに反対側に位置され、第１の独立ネジ部４８４，４８４から角度的に離間された複数対の第２の独立ネジ部４８６，４８６と、複数の第３の独立ネジ部４８８，４８８とを有する。これにおいて、径方向反対側に位置された第３のネジ部４８８，４８８の各対は、径方向反対側に位置された第１のネジ部４８４，４８４の各対と、径方向反対側に位置された第２のネジ部４８６，４８６の各対との間に位置される。図２５に典型的に示されるように、プランジャの上部ガイド部４４４のネジのそれぞれの３６０°部分は、図２５の矢印から離れて時計回りに移動するとき、第１のネジ部４８４、第３のネジ部４８８、第２のネジ部４８６、第３のネジ部４８８、第１のネジ部４８４、第３のネジ部４８８、第２のネジ部４８６、及び第３のネジ部４８８を区画する。
【００８８】
図２５に典型的に示されるように、注射器本体の上部ガイド部４１８のそれぞれの独立ネジ部４２１は外径「Ｄ１」を有し、それぞれの第２のネジ部４８６はほぼ同じネジ径「Ｄ１」を有する。それぞれの第３のネジ部４８８は、注射器本体ネジ４２１の第１のネジ径Ｄ１より小さい第２のネジ径Ｄ２を有する。それぞれの第１のネジ部４８４は変化するネジ径を有し、これは、それぞれの第１のネジ部４８４の前端縁４９０における第３のネジ径Ｄ３から、それぞれの第１のネジ部４８４の後端縁４９２における第４のネジ径Ｄ４まで、徐々に増加する。それぞれの第１のネジ部４８４の前端縁における第３のネジ径Ｄ３は、注射器本体ネジ４２１の第１のネジ径Ｄ１より僅かに大きく、第４のネジ径は、第１及び第３のネジ径Ｄ１及びＤ３より大きい。本発明の図示された実施形態において、第１のネジ径Ｄ１は約１０ｍｍ、第２のネジ径Ｄ２は約９．８ｍｍ、第３のネジ径は約１０．３ｍｍ、第４のネジ径は約１０．６ｍｍである。ここでの教示に基づき当業者により理解されるように、これらの寸法は単なる例示で、ディスペンサその他の他の寸法に応じて、又は、本発明のある特定用途に望まれるように、変更されることができる。
【００８９】
図２５に典型的に示されるように、それぞれの第１のネジ部４８４の前端縁４９０は、それぞれの第１及び第３のネジ部４８４及び４８８の間にそれぞれ延出する約４５°の面取りを有する。これにより、プランジャの第１のネジ部４８４の、注射器本体の対応ネジ部４２１へのスライド係合が容易になる。同様に、プランジャのそれぞれの第２のネジ部４８６の前端縁４９４は、それぞれの第２及び第３のネジ部４８６及び４８８の間にそれぞれ延出する約４５°の面取りを有する。これにより、プランジャの第２のネジ部４８６の、注射器本体の対応ネジ部４２１へのスライド係合が容易になる。ここでの教示に基づき当業者により理解されるように、ここに記述されたネジ部の前端縁の角度及び／又は形状は、単なる例示で、ディスペンサの作動を容易にするための特定のディスペンサその他の要求に従い、望まれるように変更されることができる。
【００９０】
図２５〜図２７を参照して、チャンバ４２０から供給端４１６を通じて、密閉シールされた物質を供給するため、プランジャが時計回りに回転される。経時的変化を示す図２５〜図２７に示されるように、プランジャの時計回りの１／４回転（又は約９０°）の回転は、第１のネジ部４８４の、注射器本体ネジ４２１へのスライド係合を生じさせ、続いて、図２６に破線で例示されるように、注射器本体の各側壁を側方外側に膨張させるより具体的には、それぞれの第１のネジ部の前端縁４９０が注射器本体の対応ネジ部４２１に螺合するにつれ、注射器本体の側壁の各部分が外側に湾曲され、プランジャの第１のネジ部４８４の前端縁径Ｄ３に局所的に適合する。プランジャがさらに時計回りに回転されると、第１のネジ部４８４の徐々に増大する直径によって（即ち、注射器本体に係合する第１のネジ部表面がＤ３からＤ４に直径を増大させるので）、注射器本体の側壁がさらに外側に湾曲される。その後、図２７に典型的に示されるように、時計回りの１／４回転を終えた時、プランジャのそれぞれの第１のネジ部４８４の後端縁４９２が、注射器本体のそれぞれのネジ部４２１を通過し、プランジャの小径（Ｄ２）ネジ部４８８のみが、注射器本体のネジ部４２１に接触して位置される。プランジャの第１のネジ部４８４が注射器本体のネジ部４２１を通過した時、注射器本体の互いに反対側に位置する側壁が、急激に元に或いは側方内側に戻る（ｓｎａｐ  ｂａｃｋ）。これにより、ユーザのためのクリック動作感を発生し、ユーザに、プランジャが１／４回転を終え所定量の物質が供給端から供給されたことをユーザに知らせる。図２７に典型的に示されるように、それぞれの第１のネジ部４８４の後端縁と、隣接する第３のネジ部４８８の前端縁との間の直径の相違は、プランジャの反対方向（又は反時計回り）の移動を防止する停止面４９６を形成する。理解されるように、プランジャの反時計回りの移動は、プランジャの停止面４９６を、注射器本体のネジ部４２１の隣接する側壁に係合させ、これにより、プランジャのさらなる反対方向（又は反時計回り）の移動を防止する。
【００９１】
図２７及び図２８を参照して、プランジャが静止位置にあるとき（即ち、プランジャの第３のネジ部４８８が注射器本体のネジ４２１に係合し、プランジャの第１及び第２のネジ部４８４及び４８６がそれぞれ注射器本体の空所４２３内に位置されるとき）、プランジャは、制限された軸方向の移動を許容され、これにより、注射器本体の密閉シールされたチャンバ４２０（図２３）内の残留圧力が低減され、このような残留圧力が、供給端を通ずる物質の漏れ残りを実質的に防止する。図２８に典型的に示されるように、プランジャの第３のネジ部４８８の直径（Ｄ２）が、注射器本体のネジ４２１の直径（Ｄ１）より小さいので、プランジャは距離「Ｘ」だけ軸方向に移動できる。従って、もし仮に、計量された量の物質を供給端を通じて供給した後に密閉シールされたチャンバ４２０内に残留圧力が存在する場合、あるいは、そのような圧力が例えば環境状態の変化に基づく熱膨張その他のために増大した場合、プランジャは、そのような圧力を低減するため、距離「Ｘ」だけ軸方向内側に（即ち、供給端から離れて）移動できる。その結果、そのような残留圧力が、供給端を通じて物質を排出させることが実質的に防止され、よって供給端の表面に、汚れた又は望ましくない残留物を生成することが実質的に防止される。
【００９２】
本発明の図示された実施形態において、距離「Ｘ」は約０．２ｍｍである。さらに、プランジャ及び注射器本体のネジは約９０°のネジである。しかしながら、ここでの教示に基づき当業者に理解されるように、これらの寸法及びネジ角度は単なる例示で、本発明の注射器その他のディスペンサの適用及び／又は他の要求に応じて、望まれるように、変更されることができる。
【００９３】
図２２及び図２３に典型的に示されるように、注射器４１０は、好ましくは、未使用時に供給端４１６を保護するためのカバー４９６を含む。図示される実施形態において、カバーは注射器本体の下部に被さって軸方向に延出する。図２２及び図２３に典型的に示されるように、注射器本体４１２の下部は、カバーを注射器本体に着脱可能に固定するのを容易にするため、環状リブ４９８又は他の構造的特徴を含んでもよい。
【００９４】
隠蔽され、移動可能なプランジャを備えた注射器タイプディスペンサ
図３１及び図３２において、本発明を具現化する他の注射器タイプのディスペンサが、参照符号５１０によって全体的に示される。注射器タイプのディスペンサ５１０は、図１〜図３０を参照して説明されたそれぞれの注射器タイプのディスペンサと多くの点で同一又は類似であり、したがって、数字「５」に続く、又は数字「１」〜「４」に代わる数字「５」に続く、同様な参照符号が同様な要素を示すために用いられる。
【００９５】
注射器タイプのディスペンサ５１０は、プランジャ５１４が注射器本体５１２内に完全に隠蔽され、注射器が、注射器本体内でプランジャを駆動するための機構５１１をさらに含む点で、図１〜図３０に関連して説明された注射器タイプのディスペンサと異なる。プランジャ５１４の基端又は内端は、軸方向の穴５１３と環状フランジ５１７とを有する。穴５１３は、これに形成された第１又は内側の組のネジ５１５を含む。環状フランジ５１７は、これに形成され、径方向反対側に位置され、軸方向に延出する二つの溝５１９を有する。注射器本体５１２は、その内壁に形成され、径方向反対側に位置され、軸方向に延出する一対のリブ５２１を有する。これらリブ５２１は、プランジャのフランジ５１７の外周に形成された溝５１９にスライド可能に受け入れられる。駆動ホイール５２３は、注射器本体５１２の開放端に回転可能に取り付けられると共に、軸方向に延出する駆動軸５２５を含む。駆動軸５２５は、その外周面に形成された第２の組のネジ５２７を有する。図３１及び図３２に示されるように、駆動軸５２５の第２の組のネジ５２７は、プランジャの基部に形成された第１の組のネジ５１５に螺合し、駆動ホイール５２３の回転時にプランジャを軸方向に移動させる。駆動ホイール５２３はさらに、環状の、露出された把持面５２９を含む。把持面５２９は、注射器本体の基端位置に形成され、ユーザにより把持され回転される。把持面５２９の回転時、駆動軸５２７はプランジャ５１４を回転駆動し、さらにプランジャ先端５６０に、密閉チャンバ５２０内を通過移動させ、物質をチャンバから供給端を通じて供給させる。
【００９６】
ここでの教示に基づき当業者に理解されるように、注射器本体５１２は、前述の注射器本体４１２と同じ形をとってもよい。また、プランジャの段階的又は増加的移動を実行するためのクリックアクションタイプの作動機構を形成するため、及び／又は、密閉シールされたチャンバ内の圧力が物質を供給端を通じて漏れ残らせるのを防ぐため、前記同様の方法で、ネジが注射器本体及びプランジャに形成されてもよい。
【００９７】
図３３及び図３４において、本発明を具現化する他の注射器タイプのディスペンサが、参照符号６１０によって全体的に示される。注射器タイプのディスペンサ６１０は、図１〜図３２を参照して説明されたそれぞれの注射器タイプのディスペンサと多くの点で同一又は類似であり、したがって、数字「６」に続く、又は数字「１」〜「５」に代わる数字「６」に続く、同様な参照符号が同様な要素を示すために用いられる。
【００９８】
注射器タイプのディスペンサ６１０は、プランジャ６１４が注射器本体６１２内に完全に隠蔽され、注射器が、注射器本体内でプランジャを駆動するための機構６１１をさらに含む点で、図１〜図３０に関連して説明された注射器タイプのディスペンサと異なる。プランジャ６１４の基端又は内端は、環状フランジ６１７と、径方向反対側に位置された一対の溝穴（ｓｌｏｔ）６１９とを有する。環状フランジ６１７は、これに形成された第１の組のネジ６２７を含む。溝穴６１９は、プランジャシャフトに隣接する基端を通して形成される。注射器本体６１２は、注射器本体の内壁に沿って軸方向に延出する第２の組のネジ６１５を有する。このネジ６１５は、プランジャの対応するネジ６２７に螺合するためのものである。駆動ホイール６２３は、注射器本体６１２の開放端に回転可能に取り付けられると共に、互いに径方向反対側に位置され軸方向に延出する一対の駆動ポスト６２１を含む。図３３及び図３４に示されるように、プランジャの第２の組のネジ６２７は、注射器本体に形成された第１の組のネジ６１５に螺合し、駆動ホイール６２３の回転時にプランジャを軸方向に移動させる。さらに、ポスト６２１は、プランジャの溝穴６１９にスライド可能に受け入れられ、駆動ホイール６２３の回転時に、プランジャの回転ひいては軸方向の移動を生じさせる。駆動ホイール６２３は、環状の、露出された把持面６２９をさらに含む。把持面６２９は、注射器本体の基部の位置に形成され、ユーザによって把持され、回転される。把持面６２９の回転時、軸方向に延出するポスト６２１はプランジャ６１４を回転可能に駆動し、さらにプランジャ先端６６０に、密閉チャンバ６２０内を通過移動させ、物質をチャンバから供給端を通じて供給させる。
【００９９】
図３８〜図４０に移って、図３３及び図３４において、本発明を具現化する他の注射器タイプのディスペンサが、参照符号６１０’によって全体的に示される。ディスペンサ６１０’は、図３３及び図３４に関連して説明された注射器６１０と多くの点で同じであり、したがって、ダッシュ「’」を含む同様な参照符号が同様な要素を示すために用いられる。ディスペンサ６１０との比較におけるディスペンサ６１０’の主な違いは、ディスペンサ６１０’が、前記注射器本体４１２と同じ形状を有する注射器本体６１２’を含むと共に、注射器本体のネジ６１５’とプランジャ６１４’のネジ６２７’とが、前記と同じ方法で形成される点である。これにより、プランジャの段階的又は増加的移動を実行するためのクリックアクションタイプの作動機構が形成されると共に、密閉シールされたチャンバ内の圧力が、供給端を通じて物質を漏れ残らせることが防止される。
【０１００】
化粧品用の特殊形状の供給端を有する注射器タイプディスペンサ
図３５及び図３６において、本発明を具現化する他の注射器タイプのディスペンサが、参照符号７１０によって全体的に示される。注射器タイプのディスペンサ７１０は、図１〜図３４を参照して説明されたそれぞれの注射器タイプのディスペンサと多くの点で同一又は類似であり、したがって、数字「７」に続く、又は数字「１」〜「６」に代わる数字「７」に続く、同様な参照符号が同様な要素を示すために用いられる。
【０１０１】
見られるように、注射器タイプディスペンサ７１０の供給端７１６は、ユーザの唇又は他の表面の輪郭に倣って接触する形状とされた、ほぼくぼんだ供給面７１７を有する。図示される実施形態において、供給端７１６は、密閉されたチャンバ７２０内に収容される物質を流通させるための一つの開口７５６を有する。しかしながら、ここでの教示に基づき当業者に理解されるように、供給端は、特定用途の要求又はニーズに応じたあらゆる形状の、いかなる数のそのような開口をも含むことができる。バルブカバー７５４は、前記実施形態に関連して説明された、あらゆるタイプの可撓性高分子材料から作られることができる。例えば、バルブカバー７５４は、商標ＫＲＡＴＯＮ  ２０Ａで販売されている比較的弾性のある高分子材料で成型されることができる。また、バルブシート７３２は、商標ＫＲＡＴＯＮ  ６５Ａで販売されている比較的硬質の高分子材料で成型されることができる。しかしながら、これらの材料は単なる例示で、ここで説明されるようなバルブカバー及びバルブシートの機能を達成するため、現在知られており又は将来知られることになるあらゆる材料であってよい。
【０１０２】
図示しないが、注射器タイプのディスペンサ７１０は、好ましくは、前記実施形態のいずれかに関連して説明されたようなプランジャと注射器本体とを含み、さらに好ましくは、プランジャの段階的又は増加的移動を実行するため、及び／又は、密閉シールされたチャンバ内の圧力が供給端を通じて物質を漏れ残らせるのを防止するため、クリックアクションタイプの作動機構を含む。
【０１０３】
図３７において、本発明を具現化する他の注射器タイプのディスペンサが、参照符号８１０によって全体的に示される。注射器タイプのディスペンサ８１０は、図１〜図３６を参照して説明されたそれぞれの注射器タイプのディスペンサと多くの点で同一又は類似であり、したがって、数字「８」に続く、又は数字「１」〜「７」に代わる数字「８」に続く、同様な参照符号が同様な要素を示すために用いられる。
【０１０４】
前記注射器タイプディスペンサ７１０との比較における注射器タイプディスペンサ８１０の主な違いは、注射器タイプディスペンサ８１０が、実質的にフラスト円錐（ｆｒｕｓｔｏ−ｃｏｎｉｃａｌ）形状とされた供給面８１７を含む点である。供給面８１７は、まるい供給端に向かって内側に先細になる。この種の特殊形状の先端は、例えばリップグロス、アイカラー、コンシーラー（ｃｏｎｃｅａｌｅｒ）又はカバーアップ（ｃｏｖｅｒ−ｕｐ）、マッティファイングメーキャップ（ｍａｔｔｉｆｙｉｎｇ  ｍａｋｅ−ｕｐ）、アイシャドー、アイグレイズ（ｅｙｅ  ｇｌａｚｅ）、ラインミニマイジングメーキャップ（ｌｉｎｅ  ｍｉｎｉｍｉｚｉｎｇ  ｍａｋｅ−ｕｐ）、又は他のメーキャップ又は化粧品等の化粧品の適用に特に適している。
【０１０５】
図３５〜図３７の注射器タイプのディスペンサの一つの利点は、例えば口紅、リップグロス、アイカラークリーム又は液、並びに例えばしわ、にきび等を覆うためのカバーアップ及びコンシーラー等の提供という、化粧品の適用に特に適しているということである。輪郭付けられた供給端は、例えばユーザの唇、まぶた、又は他の顔の表面のような皮膚に倣って接触すると共に、計量された量の化粧用物質を関係部位又は部所に快適に塗布する供給面を提供する。さらに、弾性バルブカバーによって形成された倣い面は、ユーザの皮膚に快適に接触し、もし望まれれば、ユーザの指の柔らかさに実質的に一致又は匹敵する材料から作られることができ、これにより、化粧用物質を皮膚に快適に塗布できる。
【０１０６】
そして、本発明の注射器タイプのディスペンサの他の利点は、それらが、化粧品又は他の物質を、注射器本体の密閉チャンバ内に、シールされた気密状態で保持することである。これにより、ディスペンサが、あらゆる所望期間に亘り複数回分の量を保持及び供給することが可能になり、他方、そのような実際上無制限の使用期間中、物質を、密閉された無菌状態に連続的に維持できる。
【０１０７】
また、本発明の注射器タイプのディスペンサの他の利点は、それらが正確に計量された量の物質を供給する点であり、さらに、前述の漏れ防止の特徴を含むことができる点である。これにより、同一のディスペンサの多数回の実施又は使用の後ですら、供給端上における汚物又は他の望まれない残余物質の回収を防止できる。
【０１０８】
ここでの教示に基づき当業者に理解されるように、本発明の前述の及び他の実施形態に対する様々な変更又は修正が、添付された特許請求の範囲に定義された本発明の思想及び範囲から逸脱することなく、なされ得る。例えば、本発明のディスペンサは、この種のディスペンサにとって現在知られており、又は将来利用可能となる、様々な材料によって作られることができる。同様に、本発明のディスペンサは、様々な形状及び／又は形態をとることができ、それは特定用途のために望まれ、又は必要とされるものであろう。プランジャ及びハウジングの相対運動をコントロールするための手段は、同様に、増加的及び／又は段階的移動を達成して計量された量の物質を提供するため、現在知られており又は将来開発される様々な形態を採ることができる。同様に、例えば物質収容チャンバ内の内部圧力を取り除くことにより、ディスペンサからの物質の漏れ残りを防止するための構造は、この機能を実行するための、現在知られており又は将来開発される様々な形態を採ることができる。同様に、計量された量の物質の供給をユーザに知らせるための「クリックアクション」を作り出すための構造は、この機能を実行するための、現在知られており又は将来開発される様々な構造又は形態を採ることができる。さらに、本発明のディスペンサの一方向弁及び／又は供給端は、様々な形状及び／又は形態を採ることができる。例えば、前述されたように、供給端は、例えば、人体の皮膚への物質の塗布を容易にするため、様々な形状を有することができる。従って、ここでの好適実施形態の詳細な説明は、限定的というよりむしろ例示的な意味に解釈されるべきである。
【符号の説明】
【０１０９】
１０，１１０，２１０，３１０，４１０，５１０，６１０，６１０’、７１０，８１０  ディスペンサ
１２，１１２，２１２，５１２，６１２’  本体
１４，１１４，２１４，３１４，５１４，６１４  プランジャ
１６，２１６，４１６  供給端
２０，１２０，３２０  下部
３２，７３２  バルブシート
３４  段
４０，２４０，３４０  基部
４２，１４２，３４２  駆動部
４８  カム状部材
５４，４５４，７５４  バルブカバー
１６０  弾性ストッパ
１６８  外周壁
２２１  部分ネジ
２２３  ネジ無し部
２４５，３４５  ネジ部
３１５  アウターカバー
３１７  ネジ要素
３１９  溝
３３２，４３２  中心軸
４２０，７２０  チャンバ
４２１  独立ネジ部
４８４  第１の独立ネジ部
４８６  第２の独立ネジ部
４８８  第３の独立ネジ部
５２３  駆動ホイール
６１５’  ネジ
６１９  溝穴
６２７’  ネジ
Ｘ  距離
【図１ａ】
0005393241.tif 000002
【図１ｂ】
0005393241.tif 000003
【図２】
0005393241.tif 000004
【図３】
0005393241.tif 000005
【図４】
0005393241.tif 000006
【図５】
0005393241.tif 000007
【図６ａ】
0005393241.tif 000008
【図６ｂ】
0005393241.tif 000009
【図７ａ】
0005393241.tif 000010
【図７ｂ】
0005393241.tif 000011
【図７ｃ】
0005393241.tif 000012
【図８】
0005393241.tif 000013
【図９】
0005393241.tif 000014
【図１０】
0005393241.tif 000015
【図１１】
0005393241.tif 000016
【図１２】
0005393241.tif 000017
【図１３】
0005393241.tif 000018
【図１４】
0005393241.tif 000019
【図１５】
0005393241.tif 000020
【図１６】
0005393241.tif 000021
【図１７】
0005393241.tif 000022
【図１８】
0005393241.tif 000023
【図１９】
0005393241.tif 000024
【図２０】
0005393241.tif 000025
【図２１】
0005393241.tif 000026
【図２２】
0005393241.tif 000027
【図２３】
0005393241.tif 000028
【図２４】
0005393241.tif 000029
【図２５】
0005393241.tif 000030
【図２６】
0005393241.tif 000031
【図２７】
0005393241.tif 000032
【図２８】
0005393241.tif 000033
【図２９】
0005393241.tif 000034
【図３０】
0005393241.tif 000035
【図３１】
0005393241.tif 000036
【図３２】
0005393241.tif 000037
【図３３】
0005393241.tif 000038
【図３４】
0005393241.tif 000039
【図３５】
0005393241.tif 000040
【図３６】
0005393241.tif 000041
【図３７】
0005393241.tif 000042
【図３８】
0005393241.tif 000043
【図３９】
0005393241.tif 000044
【図４０】
0005393241.tif 000045